(57)【要約】【課題】システム構築及び運用のための費用を削減する。【解決手段】集中リモコン５の操作情報処理部１１は、機能別に独立した操作設定手段８からの操作情報を処理し、伝送手段６を介して空気調和装置に送信し、伝送手段６を介して収集した空気調和装置の運転情報より画面情報を生成して表示手段９に表示させる。また、管理情報処理部１２ａは、伝送手段６を介して収集した空気調和装置の運転情報より画面情報を生成して、伝送手段１３を介して遠隔監視端末機１５に送信し、遠隔監視端末機１５から伝送手段１３を介して受信した制御情報を中継して、伝送手段６を介して空気調和装置に送信する。【選択図】図１
2006337021.tif 000002
【特許請求の範囲】
【請求項１】
室外機と室内機により構成される空気調和装置と、
上記空気調和装置の運転操作を行うと共に上記空気調和装置の運転情報を収集する集中リモコンと、
上記空気調和装置の運転状態を監視すると共に上記空気調和装置の運転を制御する遠隔監視端末機とを備えた空気調和システムであって、
上記集中リモコンは、
上記空気調和装置と通信を行う第一の伝送手段と、
上記遠隔監視端末機と通信を行う第二の伝送手段と、
機能別に独立した操作設定手段からの操作情報を処理し、上記第一の伝送手段を介して上記空気調和装置に送信すると共に、上記第一の伝送手段を介して収集した上記空気調和装置の運転情報より画面情報を生成して表示手段に表示させる操作情報処理部と、
上記第一の伝送手段を介して収集した上記空気調和装置の運転情報より画面情報を生成して、上記第二の伝送手段を介して上記遠隔監視端末機に送信すると共に、上記遠隔監視端末機から上記第二の伝送手段を介して受信した制御情報を中継して、上記第一の伝送手段を介して上記空気調和装置に送信する管理情報処理部とを備え、
上記遠隔監視端末機は上記集中リモコンから送信された画面情報を表示することを特徴とする空気調和システム。
【請求項２】
室外機と室内機により構成される空気調和装置と、
上記空気調和装置の運転操作を行うと共に上記空気調和装置の運転情報を収集する集中リモコンと、
上記空気調和装置の運転状態を監視すると共に上記空気調和装置の運転を制御する遠隔監視端末機とを備えた空気調和システムであって、
上記集中リモコンは、
上記空気調和装置と通信を行う第一の伝送手段と、
上記遠隔監視端末機と通信を行う第二の伝送手段と、
機能別に独立した操作設定手段からの操作情報を処理し、上記第一の伝送手段を介して上記空気調和装置に送信すると共に、上記第一の伝送手段を介して収集した上記空気調和装置の運転情報より画面情報を生成して表示手段に表示させる操作情報処理部と、
上記第一の伝送手段を介して収集した上記空気調和装置の運転情報を中継して、上記第二の伝送手段を介して上記遠隔監視端末機に送信すると共に、上記遠隔監視端末機から上記第二の伝送手段を介して受信した制御情報を中継して、上記第一の伝送手段を介して上記空気調和装置に送信する管理情報処理部とを備え、
上記遠隔監視端末機は上記集中リモコンから送信された運転情報により画面情報を生成して表示することを特徴とする空気調和システム。
【請求項３】
各空気調和装置に接続された複数の集中リモコンを分岐手段を介して遠隔監視端末機に接続することを特徴とする請求項１または請求項２記載の空気調和システム。
【請求項４】
各空気調和装置に接続された複数の集中リモコンを分岐手段及び公衆回線を介して遠隔監視端末機に接続することを特徴とする請求項１または請求項２記載の空気調和システム。
【請求項５】
各空気調和装置に接続された複数の集中リモコンを分岐手段、公衆回線及びインターネットを介して遠隔監視端末機に接続し、
上記集中リモコンの管理情報処理部は、上記空気調和装置から収集した運転情報又は上記遠隔監視端末機から受信した制御情報に関する電子メール情報を生成し、上記遠隔監視端末機又は上記インターネットに接続される携帯電話端末に送信することを特徴とする請求項１または請求項２記載の空気調和システム。
【請求項６】
空気調和装置と併設される第一及び第二の設備機器を備え、
集中リモコンが、保有している上記第一及び第二の設備機器を制御する設備機器制御手順に基づき、上記空気調和装置に上記第一の設備機器の監視要求を送信し、上記空気調和装置から通知された上記第一の設備機器の状態に応じて、上記第二の設備機器又は上記空気調和装置の運転を制御することを特徴とする請求項１または請求項２記載の空気調和システム。
【請求項７】
集中リモコンが保有する設備機器制御手順を、初期設定ツールとして使用される遠隔監視端末機から送信することを特徴とする請求項６記載の空気調和システム。
【請求項８】
室外機と室内機により構成される第一の空気調和装置と、
上記第一の空気調和装置の運転操作を行うと共に上記第一の空気調和装置の運転情報を収集する第一の集中リモコンと、
室外機と室内機により構成される第二の空気調和装置と、
上記第二の空気調和装置の運転操作を行うと共に上記第二の空気調和装置の運転情報を収集する第二の集中リモコンと、
上記第一及び第二の空気調和装置の運転状態を公衆回線を介して監視すると共に、上記第一及び第二の空気調和装置の運転を上記公衆回線を介して制御する遠隔監視端末機とを備えた空気調和システムであって、
上記第一の集中リモコンが収集した上記第一の空気調和装置の運転情報を、分岐手段を介して上記第二の集中リモコンに送信し、
上記第二の集中リモコンが、上記第一の集中リモコンから送信された上記第一の空気調和装置の運転情報と収集した上記第二の空気調和装置の運転情報より画面情報を生成して、上記公衆回線を介して上記遠隔監視端末機に送信し、
上記遠隔監視端末機は上記第二の集中リモコンから送信された画面情報を表示することを特徴とする空気調和システム。
【請求項９】
第二の集中リモコンは、
第二の空気調和装置と通信を行う第一の伝送手段と、
第一の集中リモコンと通信を行う第二の伝送手段と、
公衆回線を介して遠隔監視端末機と通信を行う第三の伝送手段と、
機能別に独立した操作設定手段からの操作情報を処理し、上記第一の伝送手段を介して上記第二の空気調和装置に送信すると共に、上記第一の伝送手段を介して収集した上記第二の空気調和装置の運転情報より画面情報を生成して表示手段に表示させる操作情報処理部と、
上記第一の集中リモコンから上記第二の伝送手段を介して受信した第一の空気調和装置の運転情報と、上記第一の伝送手段を介して収集した上記第二の空気調和装置の運転情報より画面情報を生成して、上記第三の伝送手段を介して上記遠隔監視端末機に送信すると共に、上記遠隔監視端末機から上記第三の伝送手段を介して受信した制御情報を中継して、上記第一の伝送手段を介して上記第二の空気調和装置に送信し、上記第二の伝送手段を介して上記第一の集中リモコンに送信する管理情報処理部とを備えたことを特徴とする請求項８記載の空気調和システム。
【請求項１０】
室外機と室内機により構成される第一の空気調和装置と、
上記第一の空気調和装置の運転操作を行うと共に上記第一の空気調和装置の運転情報を収集する第一の集中リモコンと、
室外機と室内機により構成される第二の空気調和装置と、
上記第二の空気調和装置の運転操作を行うと共に上記第二の空気調和装置の運転情報を収集する第二の集中リモコンと、
上記第一及び第二の空気調和装置の運転状態を公衆回線を介して監視すると共に、上記第一及び第二の空気調和装置の運転を上記公衆回線を介して制御する遠隔監視端末機とを備えた空気調和システムであって、
上記第一の集中リモコンが収集した上記第一の空気調和装置の運転情報を、分岐手段を介して上記第二の集中リモコンに送信し、
上記第二の集中リモコンが、上記第一の集中リモコンから送信された上記第一の空気調和装置の運転情報と収集した上記第二の空気調和装置の運転情報を中継して、上記公衆回線を介して上記遠隔監視端末機に送信し、
上記遠隔監視端末機は上記第二の集中リモコンから送信された運転情報より画面情報を生成して表示することを特徴とする空気調和システム。
【請求項１１】
第二の集中リモコンは、
第二の空気調和装置と通信を行う第一の伝送手段と、
第一の集中リモコンと通信を行う第二の伝送手段と、
公衆回線を介して遠隔監視端末機と通信を行う第三の伝送手段と、
機能別に独立した操作設定手段からの操作情報を処理し、上記第一の伝送手段を介して上記第二の空気調和装置に送信すると共に、上記第一の伝送手段を介して収集した上記第二の空気調和装置の運転情報より画面情報を生成して表示手段に表示させる操作情報処理部と、
上記第一の集中リモコンから上記第二の伝送手段を介して受信した第一の空気調和装置の運転情報と、上記第一の伝送手段を介して収集した上記第二の空気調和装置の運転情報を中継して、上記第三の伝送手段を介して上記遠隔監視端末機に送信すると共に、上記遠隔監視端末機から上記第三の伝送手段を介して受信した制御情報を中継して、上記第一の伝送手段を介して上記第二の空気調和装置に送信し、上記第二の伝送手段を介して上記第一の集中リモコンに送信する管理情報処理部とを備えたことを特徴とする請求項１０記載の空気調和システム。
【請求項１２】
第二の集中リモコンを公衆回線及びインターネットを介して遠隔監視端末機に接続し、
第二の集中リモコンは、第一及び第二の空気調和装置の運転情報又は上記遠隔監視端末機から受信した制御情報に関する電子メール情報を生成し、上記遠隔監視端末機又は上記インターネットに接続される携帯電話端末に送信することを特徴とする請求項８または請求項１０記載の空気調和システム。
【請求項１３】
第一の集中リモコンを制御盤に配置し、上記制御盤外又は上記制御盤上に設置した操作盤に第二の集中リモコンを配置することを特徴とする請求項８または請求項１０記載の空気調和システム。
【請求項１４】
室外機と室内機により構成される複数の空気調和装置と、
上記各空気調和装置の運転操作を行うと共に上記各空気調和装置の運転情報を収集する複数の集中リモコンと、
上記複数の集中リモコンが収集した上記各空気調和装置の運転情報を受信する情報中継器と、
上記各空気調和装置の運転状態を公衆回線を介して監視すると共に、上記各空気調和装置の運転を上記公衆回線を介して制御する遠隔監視端末機とを備えた空気調和システムであって、
上記複数の集中リモコンが収集した上記各空気調和装置の運転情報を、分岐手段を介して上記情報中継器に送信し、
上記情報中継器が、上記複数の集中リモコンから送信された上記各空気調和装置の運転情報より画面情報を生成して、上記公衆回線を介して上記遠隔監視端末機に送信し、
上記遠隔監視端末機は上記情報中継器から送信された画面情報を表示することを特徴とする空気調和システム。
【請求項１５】
情報中継器は、
複数の集中リモコンと通信を行う第一の伝送手段と、
公衆回線を介して遠隔監視端末機と通信を行う第二の伝送手段と、
上記複数の集中リモコンから上記第一の伝送手段を介して受信した各空気調和装置の運転情報より画面情報を生成して、上記第二の伝送手段を介して上記遠隔監視端末機に送信すると共に、上記遠隔監視端末機から上記第二の伝送手段を介して受信した制御情報を中継して、上記第一の伝送手段を介して上記複数の集中リモコンに送信する管理情報処理部とを備えたことを特徴とする請求項１４記載の空気調和システム。
【請求項１６】
室外機と室内機により構成される複数の空気調和装置と、
上記各空気調和装置の運転操作を行うと共に上記各空気調和装置の運転情報を収集する複数の集中リモコンと、
上記複数の集中リモコンが収集した上記各空気調和装置の運転情報を受信する情報中継器と、
上記各空気調和装置の運転状態を公衆回線を介して監視すると共に、上記各空気調和装置の運転を上記公衆回線を介して制御する遠隔監視端末機とを備えた空気調和システムであって、
上記複数の集中リモコンが収集した上記各空気調和装置の運転情報を、分岐手段を介して上記情報中継器に送信し、
上記情報中継器が、上記複数の集中リモコンから送信された上記各空気調和装置の運転情報を中継して、上記公衆回線を介して上記遠隔監視端末機に送信し、
上記遠隔監視端末機は上記情報中継器から送信された運転情報により画面情報を生成して表示することを特徴とする空気調和システム。
【請求項１７】
情報中継器は、
複数の集中リモコンと通信を行う第一の伝送手段と、
公衆回線を介して遠隔監視端末機と通信を行う第二の伝送手段と、
上記複数の集中リモコンから上記第一の伝送手段を介して受信した各空気調和装置の運転情報を中継して、上記第二の伝送手段を介して上記遠隔監視端末機に送信すると共に、上記遠隔監視端末機から上記第二の伝送手段を介して受信した制御情報を中継して、上記第一の伝送手段を介して上記複数の集中リモコンに送信する管理情報処理部とを備えたことを特徴とする請求項１６記載の空気調和システム。
【請求項１８】
情報中継器を公衆回線及びインターネットを介して遠隔監視端末機に接続し、
上記情報中継器は、各空気調和装置の運転情報又は上記遠隔監視端末機から受信した制御情報に関する電子メール情報を生成し、上記遠隔監視端末機又は上記インターネットに接続される携帯電話端末に送信することを特徴とする請求項１４または請求項１６記載の空気調和システム。
【請求項１９】
室外機と室内機により構成される空気調和装置と、
上記空気調和装置の運転操作を行うと共に上記空気調和装置の運転状態を監視する集中リモコンと、
上記空気調和装置と併設される第一及び第二の設備機器と、
上記空気調和装置と予め接続が想定されていない第三の設備機器と、
上記集中リモコンと分岐手段を介して接続され上記第三の設備機器を制御する設備管理機器とを備え、
上記設備管理機器が、保有している上記第一及び第二の設備機器の設備機器制御手順に基づき、上記集中リモコンを介して上記空気調和装置に上記第一の設備機器の監視要求を送信し、上記空気調和装置から通知された上記第一の設備機器の状態に応じて、上記第二の設備機器、上記第三の設備機器又は上記空気調和装置の運転を制御することを特徴とする空気調和システム。
【請求項２０】
室外機と室内機により構成される空気調和装置と、
上記空気調和装置の運転操作を行うと共に上記空気調和装置の運転情報を収集する集中リモコンと、
上記空気調和装置と予め接続が想定されていない設備機器と、
上記集中リモコンと分岐手段を介して接続され上記設備機器を制御する設備管理機器と、
上記空気調和装置の運転状態を監視する遠隔監視端末機とを備えた空気調和システムであって、
上記集中リモコンは上記設備管理機器が収集した上記設備機器の設備機器情報より画面情報を生成して上記遠隔監視端末機に送信し、
上記遠隔監視端末機は上記集中リモコンから送信された画面情報を表示することを特徴とする空気調和システム。
【請求項２１】
室外機と室内機により構成される空気調和装置の運転操作を行うと共に上記空気調和装置の運転情報を収集する集中リモコンであって、
上記空気調和装置と通信を行う第一の伝送手段と、
上記空気調和装置の運転状態を監視すると共に上記空気調和装置の運転を制御する遠隔監視端末機と通信を行う第二の伝送手段と、
機能別に独立した操作設定手段からの操作情報を処理し、上記第一の伝送手段を介して上記空気調和装置に送信すると共に、上記第一の伝送手段を介して収集した上記空気調和装置の運転情報より画面情報を生成して表示手段に表示させる操作情報処理部と、
上記第一の伝送手段を介して収集した上記空気調和装置の運転情報より、上記遠隔監視端末機に表示させるための画面情報を生成して、上記第二の伝送手段を介して上記遠隔監視端末機に送信すると共に、上記遠隔監視端末機から上記第二の伝送手段を介して受信した制御情報を中継して、上記第一の伝送手段を介して上記空気調和装置に送信する管理情報処理部とを備えたこと特徴とする集中リモコン。
【請求項２２】
室外機と室内機により構成される空気調和装置の運転操作を行うと共に上記空気調和装置の運転情報を収集する集中リモコンであって、
上記空気調和装置と通信を行う第一の伝送手段と、
上記空気調和装置の運転状態を監視すると共に上記空気調和装置の運転を制御する遠隔監視端末機と通信を行う第二の伝送手段と、
機能別に独立した操作設定手段からの操作情報を処理し、上記第一の伝送手段を介して上記空気調和装置に送信すると共に、上記第一の伝送手段を介して収集した上記空気調和装置の運転情報より画面情報を生成して表示手段に表示させる操作情報処理部と、
上記第一の伝送手段を介して収集した上記空気調和装置の運転情報を中継して、上記遠隔監視端末機に表示させるために上記第二の伝送手段を介して上記遠隔監視端末機に送信すると共に、上記遠隔監視端末機から上記第二の伝送手段を介して受信した制御情報を中継して、上記第一の伝送手段を介して上記空気調和装置に送信する管理情報処理部とを備えたこと特徴とする集中リモコン。
【請求項２３】
公衆回線を介して遠隔監視端末機に接続されていることを特徴とする請求項２１または請求項２２記載の集中リモコン。
【発明の詳細な説明】
【技術分野】
【０００１】
この発明は空気調和装置や設備機器の遠隔監視や制御を行うための空気調和システム及び集中リモコンに関するものである。
【背景技術】
【０００２】
図４１は特開２０００−２６６３９０号公報に示された従来の空気調和システムの構成を示すブロック図である。図において、１０２ａ〜１０２ｃは複数台設置された室内機であり、１０１ａ〜１０１ｃは室内機１０２ａ〜１０２ｃと共に空気調和装置を構成する室外機である。これらは伝送線１０４を介してデータの送受を行うことで運転制御される。また、１０３ａ〜１０３ｃは室内機１０２ａ〜１０２ｃの操作を行う個別のリモコンである。１０５は室内機１０２ａ〜１０２ｃをグループ制御する集中制御装置であり、伝送線１０４を介して空気調和装置と接続され、室内機１０２ａ〜１０２ｃの運転操作を行っている。
【０００３】
１０６は伝送線１０４を介して室内機１０２ａ〜１０２ｃ、室外機１０１ａ〜１０１ｃ、リモコン１０３ａ〜１０３ｃ、集中制御装置１０５と接続されて、データの送受信を行うビル設備としての設備コントローラである。設備コントローラ１０６は公衆回線接続機器であるモデム１０７を介して公衆回線１０８と接続される。
【０００４】
また、１１０ａ〜１１０ｃはモデム１０９ａ〜１０９ｃを介して公衆回線１０８と接続されて設備コントローラ１０６と通信を行うと共に、現地の空気調和装置の状態を表示し編集する遠隔監視端末機であり、汎用的な機器としてパソコン等が使用される。
【０００５】
なお、室外機１０１ａ〜１０１ｃ、室内機１０２ａ〜１０２ｃ、リモコン１０３ａ〜１０３ｃ、集中制御装置１０５は、いずれも上記例示の台数に制限するものでなく、また、遠隔監視端末機１１０ａ〜１１０ｃの台数も制限されない。
【０００６】
図４２は、図４１と同様に、特開２０００−２６６３９０号公報に示された従来の空気調和システムにおける設備コントローラ１０６の内部構成を示すブロック図である。図に示すように、室外機１０１ａ〜１０１ｃや室内機１０２ａ〜１０２ｃの運転状態を監視し制御する設備コントローラ１０６は、設備コントローラ１０６の制御を司るマイクロコンピュータ１２１と、室外機１０１ａ〜１０１ｃ、室内機１０２ａ〜１０２ｃ、リモコン１０３ａ〜１０３ｃ、集中制御装置１０５と通信を行うための空気調和装置との通信手段１２２と、公衆回線１０８及びモデム１０７，１０９ａ〜１０９ｃを介して遠隔監視端末機１１０ａ〜１１０ｃと通信するためのデータ変換を行う公衆回線通信手段１２３と、現地で空気調和システムのシステム情報を入力する現地調整手段１２４と、自己（以下「自己」とは設備コントローラ１０６自体のことを指す）の状態や空気調和装置等の状態を外部へ報知する表示手段１２５と、本システム内の情報検索命令にトリガをかけるスイッチにより構成された検索指令手段１２６とから構成されている。
【０００７】
また、マイクロコンピュータ１２１は、現地調整手段１２４にて設定された空気調和システムのシステム情報を記憶するシステム情報記憶手段１３１と、空気調和装置の運転状態を記憶する運転状態記憶手段１３２と、現地で設定登録されている空気調和システムのアドレス情報と自己が検出した現時点における空気調和システムのアドレス情報とを比較するアドレス情報比較手段１３３と、空気調和装置等が存在する空気調和システムのシステム情報を自動的に収集するシステム情報収集手段１３４とを具備している。
【０００８】
集中制御装置１０５は、空気調和システム内に接続された空気調和装置の個々の運転操作を行うことが可能であるが、その運転制御のための通信プロトコルは空気調和装置として独自のものを有している。一般にこの通信プロトコルは空気調和装置の供給メーカ毎に異なるため、空気調和システムとして各々閉じたシステム形態を取っていると言える。
【０００９】
また、設備コントローラ１０６は、図４２に示す各手段を備えて、遠隔監視端末機１１０ａ〜１１０ｃと通信を行うことができるが、通信情報であるシステム情報は、あくまで空気調和システムの通信プロトコルの閉じた制御範囲内の情報であって、異なる空気調和装置メーカの空気調和システムの情報を共有することはできない。加えて、空気調和装置との情報交換を行う集中制御装置１０５とは区別され、かつそのシステム専用の機器となっている。
【００１０】
図４３は室外機１０１及び室内機１０２の接続台数が多い大規模な従来の空気調和システムの構成を示すブロック図である。図において、１１１は一方が複数の設備コントローラ１０６と接続され、他方がモデム１０７に接続された統括コントローラであり、その他の構成は図４１に示す構成と同様である。統括コントローラ１１１は複数の設備コントローラ１０６からの運転情報を集約し、室内機１０２ａ〜１０２ｃ、室外機１０１ａ〜１０１ｃの運転情報を、モデム１０７、公衆回線１０８及びモデム１０９ａ〜１０９ｃを介して遠隔監視端末機１１０ａ〜１１０ｃに送信する。
【００１１】
図４４は従来の室内機１０２ａ〜１０２ｃにおける室内機制御手段の内部構成を示すブロック図である。図において、１４１は室内機制御手段であり、室内機１０２ａ〜１０２ｃに内蔵された制御機器内に含まれる。１４２は室内機構成部品、１４３は空気調和装置と併設される設備機器、１４４は設備機器１４３を制御するための設備機器伝送線である。また、室内機制御手段１４１において、１５１は中央処理手段、１５２は室外機１０１ａ〜１０１ｃと通信を行う伝送手段、１５３は室内機構成部品１４２と接続される室内機構成部品入出力手段、１５４は設備機器１４３と接続される設備機器入出力手段である。
【００１２】
室内機構成部品１４２はファンモータや吸込空気温度センサ等の室内機１０２ａ〜１０２ｃを構成する部品であり、室内機制御手段１４１内の中央処理手段１５１が予め記憶したプログラムに従い、室内機構成部品入出力手段１５３を介して制御する。設備機器１４３は、室内機１０２ａ〜１０２ｃに予め内蔵された機器とは別に、例えば照明機器や外部に設置された運転スイッチ等の現地で付加設置される機器であり、設備機器１４３を運転制御する際は、中央処理手段１５１が予め記憶したプログラムに従い、設備機器入出力手段１５４及び設備機器伝送線１４４を介して制御する。
【００１３】
また、上記のような設備機器１４３とは別に、予め空気調和装置に接続が想定されない設備機器の運転状態や空気調和装置の運転状態を遠隔監視する場合に、設備コントローラ１０６や統括コントローラ１１１を設置して、これらが情報を取りまとめて外部へ発報していた。
【発明の開示】
【発明が解決しようとする課題】
【００１４】
従来の空気調和システムは以上のように構成されているので、以下のような課題があった。
一般に空気調和装置は製造メーカに応じて各々異なる専用の通信プロトコルを有している。また、空気調和装置が設置された建物から離れた場所で空気調和装置の状態を遠隔監視する場合には、情報通信経路として公衆回線１０８を使用する必要があり、公衆回線１０８へ接続するためのインタフェースであるモデム１０７はＲＳ２３２Ｃインタフェースのような汎用の通信手段を有している。そこで、空気調和装置の運転情報を遠隔監視端末機１１０ａ〜１１０ｃに送信するには、設備コントローラ１０６又は統括コントローラ１１１のように、空気調和装置の専用の通信プロトコルを汎用の通信手段に変換する装置が特別に必要となり、設備費用が増大してしまうという課題があった。
【００１５】
また、モデム１０７の伝送媒体であるＲＳ２３２Ｃインタフェースは１対１通信に制約されるため、設備コントローラ１０６はモデム１０７に１台しか接続できず、接続可能な空気調和装置の台数が制約されるという課題があった。そのため、空気調和装置が多いシステムを遠隔監視するには、複数の設備コントローラ１０６の情報を統括してモデム１０７に接続するための統括コントローラ１１１が必要となり、大規模システムにおいては、さらに費用が増大すると共に取付場所の意匠面での制約等が発生するという課題があった。
【００１６】
さらに、新しい機能を有する新型の空気調和装置を従来のシステムに付加した場合に、新しい機能の信号を中継する設備コントローラ１０６及び統括コントローラ１１１のプログラムを変更しなければならず、費用の増大に加えサービスにおいても多大な負荷がかかるという課題があった。
【００１７】
さらに、遠隔監視端末機１１０ａ〜１１０ｃには、監視専用のプログラムを搭載する必要があった。遠隔監視端末機１１０ａ〜１１０ｃとして事務処理等を兼ねてパソコンを使用する要求が多いが、この監視専用のプログラムと事務用プログラム等を同時に使用した場合に、その使用によって相互に悪影響があるかどうかが不明であるため、遠隔監視端末機１１０ａ〜１１０ｃは監視専用にしなければならないという課題があった。さらに、空気調和装置を新製品に置き換えた場合やオペレーティングシステムがバージョンアップした場合に、従来使用していたプログラムの変更が必要になり、費用の増大に加えサービスにおいても多大な負荷がかかるという課題があった。
【００１８】
上記のような課題への対応策として、統括コントローラ１１１なしでシステム構築するために、複数機器が高速で通信が可能な伝送媒体であるＬＡＮ（Ｌｏｃａｌ  Ａｒｅａ  Ｎｅｔｗｏｒｋ）を利用する方法や、設備コントローラ１０６の機器設置及び配線工事費の削減のために空気調和装置の集中制御装置１０５に設備コントローラ１０６の機能を搭載する方法や、遠隔監視端末機１１０ａ〜１１０ｃに監視専用のプログラムを搭載不要とするために、遠隔監視端末機１１０ａ〜１１０ｃに汎用で遠隔監視を行うことができるブラウザソフトを利用し、設備コントローラ１０６又は統括コントローラ１１１において、上記ブラウザで表示できる画面を生成して送信する方法が考えられる。
【００１９】
しかし、このような機能を集中制御装置１０５に搭載すると、ＬＡＮが高速であることと膨大な量の情報を処理しなければならないことから、高性能なマイクロコンピュータと大規模メモリ等が必要となり高価格な製品となる。このような高価格な製品として販売するためには、価格に見合った高機能化を行う必要があり、このために集中制御装置１０５の運転操作手段及び表示手段は、多様な入力及び表示ができるように操作内容の限定されなタッチキー液晶画面等の操作手段を使用しなければならない。
【００２０】
しかし、このような集中制御装置１０５の高機能化は、上記のようにさらなる高価格化を来す。限られた面積の画面に多彩な機能を表示しようとすると画面送りが必要になるため見にくくなる。画面を大きくすると、さらに高価格になるうえ設置上の制約も増大する。
また、空気調和装置を操作する一般ユーザには、不要な機能も追加されるため操作が難しくなるのに加えて、ビル等の総合的な設計、施工、管理等に携わらない空気調和装置の販売者、サービス業者、工事業者、設備設計者にとって取り扱い難い製品となり、高価格化と相俟って採用される物件は一部に限られている。
【００２１】
また、室内機１０２ａ〜１０２ｃの室内機制御手段１４１は、現地で任意に設置される設備機器１４３を、中央処理手段１５１に予め記憶されたプログラムに従って制御するので、予め室内機１０２ａ〜１０２ｃとの接続が想定された設備機器１４３以外の制御を行うことはできないという課題があった。
室内機制御手段１４１において、予め接続が想定されていない設備機器を同一システムとして制御する場合は、付加される設備機器の専用制御端末を設備機器の台数分設置しなければならず、機器費、工事費用共にコストアップとなるという課題があった。
【００２２】
また、遠隔から空気調和装置の運転状態と設備機器の状態を監視する場合に、設備コントローラ１０６が空気調和装置の運転状態と設備機器の状態を取りまとめて外部へ発報していたため、高価格な外部発報装置を搭載した設備コントローラ１０６を必要とするという課題があった。
【００２３】
この発明は上記のような課題を解決するためになされたもので、遠隔監視に特別な機器及び工事の追加が不要で、大規模システムにおいて統括コントローラのような追加機器が不要となり、遠隔監視端末機専用の遠隔監視プログラムが不要で事務用プログラムとの共用が可能となり、販売者、サービス業者、工事業者、設備設計者にとって取り扱いが簡単になり、システム構築及び運用のための費用が最小限となる空気調和システムを得ることを目的とする。
【００２４】
また、個別のリモコン及びリモコン配線を必要としない空気調和システムを得ることを目的とする。
【００２５】
また、低価格で遠隔から空気調和装置の運転状態と設備機器の状態を監視できる空気調和システムを得ることを目的とする。
【課題を解決するための手段】
【００２６】
この発明に係る空気調和システムは、集中リモコンが、空気調和装置と通信を行う第一の伝送手段と、遠隔監視端末機と通信を行う第二の伝送手段と、機能別に独立した操作設定手段からの操作情報を処理し、第一の伝送手段を介して空気調和装置に送信すると共に、第一の伝送手段を介して収集した空気調和装置の運転情報より画面情報を生成して表示手段に表示させる操作情報処理部と、第一の伝送手段を介して収集した空気調和装置の運転情報より画面情報を生成して、第二の伝送手段を介して遠隔監視端末機に送信すると共に、遠隔監視端末機から第二の伝送手段を介して受信した制御情報を中継して、第一の伝送手段を介して空気調和装置に送信する管理情報処理部とを備え、遠隔監視端末機が集中リモコンから送信された画面情報を表示するものである。
【００２７】
この発明に係る空気調和システムは、集中リモコンが、空気調和装置と通信を行う第一の伝送手段と、遠隔監視端末機と通信を行う第二の伝送手段と、機能別に独立した操作設定手段からの操作情報を処理し、第一の伝送手段を介して空気調和装置に送信すると共に、第一の伝送手段を介して収集した空気調和装置の運転情報より画面情報を生成して表示手段に表示させる操作情報処理部と、第一の伝送手段を介して収集した空気調和装置の運転情報を中継して、第二の伝送手段を介して遠隔監視端末機に送信すると共に、遠隔監視端末機から第二の伝送手段を介して受信した制御情報を中継して、第一の伝送手段を介して空気調和装置に送信する管理情報処理部とを備え、遠隔監視端末機が集中リモコンから送信された運転情報により画面情報を生成して表示するものである。
【００２８】
この発明に係る空気調和システムは、各空気調和装置に接続された複数の集中リモコンを分岐手段を介して遠隔監視端末機に接続するものである。
【００２９】
この発明に係る空気調和システムは各空気調和装置に接続された複数の集中リモコンを分岐手段及び公衆回線を介して遠隔監視端末機に接続するものである。
【００３０】
この発明に係る空気調和システムは、各空気調和装置に接続された複数の集中リモコンを分岐手段、公衆回線及びインターネットを介して遠隔監視端末機に接続し、集中リモコンの管理情報処理部が空気調和装置から収集した運転情報又は遠隔監視端末機から受信した制御情報に関する電子メール情報を生成し、遠隔監視端末機又はインターネットに接続される携帯電話端末に送信するものである。
【００３１】
この発明に係る空気調和システムは、空気調和装置と併設される第一及び第二の設備機器を備え、集中リモコンが、保有している第一及び第二の設備機器を制御する設備機器制御手順に基づき、空気調和装置に第一の設備機器の監視要求を送信し、空気調和装置から通知された第一の設備機器の状態に応じて、第二の設備機器又は空気調和装置の運転を制御するものである。
【００３２】
この発明に係る空気調和システムは、集中リモコンが保有する設備機器制御手順を初期設定ツールとして使用される遠隔監視端末機から送信するものである。
【００３３】
この発明に係る空気調和システムは、第一の空気調和装置の運転操作を行うと共に第一の空気調和装置の運転情報を収集する第一の集中リモコンと、第二の空気調和装置の運転操作を行うと共に第二の空気調和装置の運転情報を収集する第二の集中リモコンと、第一及び第二の空気調和装置の運転状態を公衆回線を介して監視すると共に、第一及び第二の空気調和装置の運転を公衆回線を介して制御する遠隔監視端末機とを備え、第一の集中リモコンが収集した第一の空気調和装置の運転情報を、分岐手段を介して第二の集中リモコンに送信し、第二の集中リモコンが、第一の集中リモコンから送信された第一の空気調和装置の運転情報と収集した第二の空気調和装置の運転情報より画面情報を生成して、公衆回線を介して遠隔監視端末機に送信し、遠隔監視端末機が第二の集中リモコンから送信された画面情報を表示するものである。
【００３４】
この発明に係る空気調和システムは、第二の集中リモコンが、第二の空気調和装置と通信を行う第一の伝送手段と、第一の集中リモコンと通信を行う第二の伝送手段と、公衆回線を介して遠隔監視端末機と通信を行う第三の伝送手段と、機能別に独立した操作設定手段からの操作情報を処理し、第一の伝送手段を介して第二の空気調和装置に送信すると共に、第一の伝送手段を介して収集した第二の空気調和装置の運転情報より画面情報を生成して表示手段に表示させる操作情報処理部と、第一の集中リモコンから第二の伝送手段を介して受信した第一の空気調和装置の運転情報と、第一の伝送手段を介して収集した第二の空気調和装置の運転情報より画面情報を生成して、第三の伝送手段を介して遠隔監視端末機に送信すると共に、遠隔監視端末機から第三の伝送手段を介して受信した制御情報を中継して第一の伝送手段を介して第二の空気調和装置に送信し、第二の伝送手段を介して第一の集中リモコンに送信する管理情報処理部とを備えたものである。
【００３５】
この発明に係る空気調和システムは、第一の空気調和装置の運転操作を行うと共に第一の空気調和装置の運転情報を収集する第一の集中リモコンと、第二の空気調和装置の運転操作を行うと共に第二の空気調和装置の運転情報を収集する第二の集中リモコンと、第一及び第二の空気調和装置の運転状態を公衆回線を介して監視すると共に、第一及び第二の空気調和装置の運転を公衆回線を介して制御する遠隔監視端末機とを備え、第一の集中リモコンが収集した第一の空気調和装置の運転情報を、分岐手段を介して第二の集中リモコンに送信し、第二の集中リモコンが、第一の集中リモコンから送信された第一の空気調和装置の運転情報と収集した第二の空気調和装置の運転情報を中継して、公衆回線を介して遠隔監視端末機に送信し、遠隔監視端末機が第二の集中リモコンから送信された運転情報より画面情報を生成して表示するものである。
【００３６】
この発明に係る空気調和システムは、第二の集中リモコンが、第二の空気調和装置と通信を行う第一の伝送手段と、第一の集中リモコンと通信を行う第二の伝送手段と、公衆回線を介して遠隔監視端末機と通信を行う第三の伝送手段と、機能別に独立した操作設定手段からの操作情報を処理し、第一の伝送手段を介して第二の空気調和装置に送信すると共に、第一の伝送手段を介して収集した第二の空気調和装置の運転情報より画面情報を生成して表示手段に表示させる操作情報処理部と、第一の集中リモコンから第二の伝送手段を介して受信した第一の空気調和装置の運転情報と、第一の伝送手段を介して収集した第二の空気調和装置の運転情報を中継して、第三の伝送手段を介して遠隔監視端末機に送信すると共に、遠隔監視端末機から第三の伝送手段を介して受信した制御情報を中継して、第一の伝送手段を介して第二の空気調和装置に送信し、第二の伝送手段を介して第一の集中リモコンに送信する管理情報処理部とを備えたものである。
【００３７】
この発明に係る空気調和システムは、第二の集中リモコンを公衆回線及びインターネットを介して遠隔監視端末機に接続し、第二の集中リモコンが、第一及び第二の空気調和装置の運転情報又は遠隔監視端末機から受信した制御情報に関する電子メール情報を生成し、遠隔監視端末機又はインターネットに接続される携帯電話端末に送信するものである。
【００３８】
この発明に係る空気調和システムは、第一の集中リモコンを制御盤に配置し、制御盤外又は制御盤上に設置した操作盤に第二の集中リモコンを配置するものである。
【００３９】
この発明に係る空気調和システムは、各空気調和装置の運転操作を行うと共に各空気調和装置の運転情報を収集する複数の集中リモコンと、複数の集中リモコンが収集した各空気調和装置の運転情報を受信する情報中継器と、各空気調和装置の運転状態を公衆回線を介して監視すると共に、各空気調和装置の運転を公衆回線を介して制御する遠隔監視端末機とを備え、複数の集中リモコンが収集した各空気調和装置の運転情報を、分岐手段を介して情報中継器に送信し、情報中継器が、複数の集中リモコンから送信された上空気調和装置の運転情報より画面情報を生成して、公衆回線を介して遠隔監視端末機に送信し、遠隔監視端末機が情報中継器から送信された画面情報を表示するものである。
【００４０】
この発明に係る空気調和システムは、情報中継器が、複数の集中リモコンと通信を行う第一の伝送手段と、公衆回線を介して遠隔監視端末機と通信を行う第二の伝送手段と、複数の集中リモコンから第一の伝送手段を介して受信した各空気調和装置の運転情報より画面情報を生成して、第二の伝送手段を介して遠隔監視端末機に送信すると共に、遠隔監視端末機から第二の伝送手段を介して受信した制御情報を中継して、第一の伝送手段を介して複数の集中リモコンに送信する管理情報処理部とを備えたものである。
【００４１】
この発明に係る空気調和システムは、各空気調和装置の運転操作を行うと共に各空気調和装置の運転情報を収集する複数の集中リモコンと、複数の集中リモコンが収集した各空気調和装置の運転情報を受信する情報中継器と、各空気調和装置の運転状態を公衆回線を介して監視すると共に、各空気調和装置の運転を公衆回線を介して制御する遠隔監視端末機とを備え、複数の集中リモコンが収集した各空気調和装置の運転情報を、分岐手段を介して情報中継器に送信し、情報中継器が、複数の集中リモコンから送信された各空気調和装置の運転情報を中継して、公衆回線を介して遠隔監視端末機に送信し、遠隔監視端末機が情報中継器から送信された運転情報により画面情報を生成して表示するものである。
【００４２】
この発明に係る空気調和システムは、情報中継器が、複数の集中リモコンと通信を行う第一の伝送手段と、公衆回線を介して遠隔監視端末機と通信を行う第二の伝送手段と、複数の集中リモコンから第一の伝送手段を介して受信した各空気調和装置の運転情報を中継して、第二の伝送手段を介して遠隔監視端末機に送信すると共に、遠隔監視端末機から第二の伝送手段を介して受信した制御情報を中継して、第一の伝送手段を介して複数の集中リモコンに送信する管理情報処理部とを備えたものである。
【００４３】
この発明に係る空気調和システムは、情報中継器を公衆回線及びインターネットを介して遠隔監視端末機に接続し、情報中継器が各空気調和装置の運転情報又は遠隔監視端末機から受信した制御情報に関する電子メール情報を生成し、遠隔監視端末機又はインターネットに接続される携帯電話端末に送信するのである。
【００４４】
この発明に係る空気調和システムは、空気調和装置の運転操作を行うと共に空気調和装置の運転状態を監視する集中リモコンと、空気調和装置と併設される第一及び第二の設備機器と、空気調和装置と予め接続が想定されていない第三の設備機器と、集中リモコンと分岐手段を介して接続され第三の設備機器を制御する設備管理機器とを備え、設備管理機器が、保有している第一及び第二の設備機器の設備機器制御手順に基づき、集中リモコンを介して空気調和装置に第一の設備機器の監視要求を送信し、空気調和装置から通知された第一の設備機器の状態に応じて、第二の設備機器、第三の設備機器又は空気調和装置の運転を制御するものである。
【００４５】
この発明に係る空気調和システムは、空気調和装置の運転操作を行うと共に空気調和装置の運転情報を収集する集中リモコンと、空気調和装置と予め接続が想定されていない設備機器と、集中リモコンと分岐手段を介して接続され設備機器を制御する設備管理機器と、空気調和装置の運転状態を監視する遠隔監視端末機とを備え、集中リモコンが設備管理機器が収集した設備機器の設備機器情報より画面情報を生成して遠隔監視端末機に送信し、遠隔監視端末機が集中リモコンから送信された画面情報を表示するものである。
【００４６】
この発明に係る集中リモコンは、空気調和装置と通信を行う第一の伝送手段と、空気調和装置の運転状態を監視すると共に空気調和装置の運転を制御する遠隔監視端末機と通信を行う第二の伝送手段と、機能別に独立した操作設定手段からの操作情報を処理し、第一の伝送手段を介して空気調和装置に送信すると共に、第一の伝送手段を介して収集した空気調和装置の運転情報より画面情報を生成して表示手段に表示させる操作情報処理部と、第一の伝送手段を介して収集した空気調和装置の運転情報より、遠隔監視端末機に表示させるための画面情報を生成して、第二の伝送手段を介して遠隔監視端末機に送信すると共に、遠隔監視端末機から第二の伝送手段を介して受信した制御情報を中継して、第一の伝送手段を介して空気調和装置に送信する管理情報処理部とを備えたものである。
【００４７】
この発明に係る集中リモコンは、空気調和装置と通信を行う第一の伝送手段と、空気調和装置の運転状態を監視すると共に空気調和装置の運転を制御する遠隔監視端末機と通信を行う第二の伝送手段と、機能別に独立した操作設定手段からの操作情報を処理し、第一の伝送手段を介して空気調和装置に送信すると共に、第一の伝送手段を介して収集した空気調和装置の運転情報より画面情報を生成して表示手段に表示させる操作情報処理部と、第一の伝送手段を介して収集した空気調和装置の運転情報を中継して、遠隔監視端末機に表示させるために第二の伝送手段を介して遠隔監視端末機に送信すると共に、遠隔監視端末機から第二の伝送手段を介して受信した制御情報を中継して、第一の伝送手段を介して空気調和装置に送信する管理情報処理部とを備えたものである。
【００４８】
この発明に係る集中リモコンは、公衆回線を介して遠隔監視端末機に接続されているものである。
【発明の効果】
【００４９】
以上のように、この発明によれば、遠隔監視に特別な機器、プログラム及び工事の追加が不要となり、販売者、サービス業者、設備設計者にとって取り扱いが簡単になり、システム構築や運用のための費用を最小限に抑えることができるという効果がある。
【００５０】
また、この発明によれば、空気調和装置と併設される設備機器や予め接続が想定されない設備機器を関連させて運転させる制御システムを、高価な制御機器を付加することなく安価に実現することができるという効果がある。
【発明を実施するための最良の形態】
【００５１】
以下、この発明の実施の一形態を説明する。
実施の形態１．
図１はこの発明の実施の形態１による空気調和システムの構成を示すブロック図である。図において、１は空気調和装置の室外機、２は室外機１に冷媒配管３を介して複数台接続された室内機であり、室外機１と室内機２により単一の空気調和装置を構成している。４は室外機１と各室内機２間を接続する伝送媒体で空気調和装置の専用の通信線である。
【００５２】
５は室外機１及び室内機２と伝送媒体４を介して接続され、空気調和装置を複数のグループに分けてグループ毎に運転操作を行うと共に、空気調和装置の各々の運転情報を収集し運転状態の監視を行う集中リモコンである。１５は汎用で遠隔監視を行うことができるブラウザソフト１６を搭載した遠隔監視端末機であり、集中リモコン５が収集する空気調和装置の運転情報により、伝送媒体１４を介して空気調和装置の運転状態を監視すると共に、制御情報を送信することにより空気調和装置の運転を制御する。ここで、遠隔監視端末機１５としては、一般に市場に普及しているパソコンが使用され、伝送媒体１４としては、例えばＬＡＮ（Ｌｏｃａｌ  Ａｒｅａ  Ｎｅｔｗｏｒｋ）や無線ＬＡＮのようにパソコンと接続可能な伝送媒体であれば良い。
【００５３】
集中リモコン５において、６は室外機１及び室内機２と伝送媒体４を介して接続され空気調和装置と通信を行う伝送手段（第一の伝送手段）、７は空気調和装置の運転操作を行うための操作決定手段であり、運転切換スイッチ８ａ、冷房／暖房切換スイッチ８ｂ、風量切換スイッチ８ｃ等、機能別に独立した操作設定手段８を有している。９は操作決定手段７の操作内容や空気調和装置の運転状態を表示する表示手段である。
【００５４】
１０は空気調和装置の運転情報や操作情報の処理と空気調和システムの管理情報の処理を司る中央処理手段で、１１は操作決定手段７による操作情報や伝送手段６を介して収集した空気調和装置の運転情報を処理すると共に、表示手段９に表示させるための画面情報を生成する操作情報処理部で、１２ａは遠隔監視端末機１５からの制御情報を中継し空気調和装置に送信して空気調和装置を制御すると共に、伝送手段６を介して収集した空気調和装置の運転情報を処理して、遠隔監視端末機１５に表示させる画面情報を生成する管理情報処理部で、１３は伝送媒体１４を介して遠隔監視端末機１５と接続され遠隔監視端末機１５と通信を行う伝送手段（第二の伝送手段）である。
【００５５】
次に動作について説明する。
操作決定手段７における運転切換スイッチ８ａや冷房／暖房切換スイッチ８ｂ等の機能別に独立した操作設定手段８により入力された操作情報は、操作情報処理部１１で処理され、伝送手段６及び伝送媒体４を介して送信されて空気調和装置の運転が行われる。
【００５６】
この集中リモコン５は、空気調和装置を操作する操作設定手段８である各操作スイッチが機能別に独立して備えられているため、集中リモコン５におけるスイッチの設置面積の制約から、従来の集中制御装置１０５と同等の操作機能数に限定されている。しかし、例えば表示項目が多く、画面送り等を行うことで画面毎にキーの意味が変化するタッチキー液晶画面とは異なり、操作設定手段８は機能別に独立しているため一目瞭然であり、空気調和装置を実際に使用するユーザにとっては理解し易く操作し易い構成となっている。
【００５７】
また、操作情報処理部１１は、操作決定手段７からの操作情報と、空気調和装置から伝送媒体４及び伝送手段６を介して収集した運転情報により、画面情報を生成して表示手段９に表示させる。
【００５８】
管理情報処理部１２ａは伝送媒体１４及び伝送手段１３を介して受信した遠隔監視端末機１５からの制御情報を中継して、伝送手段６及び伝送媒体４を介して空気調和装置に送信して空気調和装置の運転を制御する。
【００５９】
また、管理情報処理部１２ａは、伝送媒体４及び伝送手段６を介して収集した空気調和装置の運転情報を処理して、遠隔監視端末機１５に表示させる画面情報を生成し、伝送手段１３及び伝送媒体１４を介して遠隔監視端末機１５に送信する。遠隔監視端末機１５は、搭載しているブラウザソフト１６により、送信された画面情報を内蔵の表示手段（図示せず）に表示して、空気調和装置の運転状態を監視する。
【００６０】
ここで、集中リモコン５の管理情報処理部１２ａにより生成され遠隔監視端末機１５で表示される画面情報について説明する。
図２は遠隔監視端末機１５を使用するユーザ毎にモニタ可能な画面メニューを示す図である。図に示すように、一般ユーザ用、ビル管理人用、保守業者用、スーパーバイザ用それぞれにモニタ可能な画面メニューが用意されており、各ユーザに対応して、ホームページアドレスやパスワードを変更している。一般ユーザ用は運転状態画面メニューのみモニタ可能で、ビル管理人用はさらにスケジュール画面メニュー、異常履歴画面メニュー及びシステム設定画面メニューがモニタ可能となり、保守業者用及びスーパーバイザ用は、さらにメンテナンス画面メニューがモニタ可能となっており、それぞれの目的に応じた画面メニューが用意されている。
【００６１】
図３は図２の画面メニューの一覧を示す図である。図に示すように、運転状態、スケジュール、異常履歴、システム設定、メンテナンスの各画面メニュー毎に表示する各種の画面が用意されている。
【００６２】
図４は画面に表示される各種のアイコンの例を示す図である。２０１は室内機２グループの運転中のアイコンを示し、風マーク２５１の部分で風が吹く広がりを表現している。この風マーク２５１の部分の表示色を緑色としている。一般には、冷房を青で暖房を赤で表示することが多く、冷房と暖房が自動的に切り替わるタイプの場合には、室内機２よりその情報を得る必要があるが、緑色で表示することにより、その情報を得ることなく表示可能である。２０２は室内機２グループの停止中のアイコンを示している。２０３は空気調和装置と共に設置される換気機グループの運転中のアイコンを示し、２０４は換気機グループの停止中のアイコンを示している。
【００６３】
２０５は木マーク２５２により室内機２グループの節電運転中のアイコンを示し、地球環境にやさしいことを表現している。２０６は室内機２グループの運転中と連動する換気機グループの運転中のアイコンを示し、２０７は時計マーク２５３により室内機２グループのタイマー運転中のアイコンを示している。２０８は室内機２グループの節電運転中、タイマー運転中及び連動する換気機グループの運転中を同時に示すアイコンである。
【００６４】
２０９は進入禁止マーク２５４により手元にある個別のリモコンの操作が禁止されている状態を示すアイコンで、２１０は個別のリモコンの操作が許可中であることを示すアイコンである。２１１は運転中の室内機２グループの吸い込み口を汚したフィルタマーク２５５を表示することにより、フィルタの洗浄又は交換時期を警告するアイコンである。ここで、フィルタマーク２５５を点滅させることにより警告を強調しても良い。２１２はフィルタマーク２５５により停止中の室内機２グループのフィルタの洗浄又は交換時期を警告するアイコンである。２１３は運転中の換気機のフィルタの洗浄又は交換時期を警告するアイコンで、２１４は停止中の換気機のフィルタの洗浄又は交換時期を警告するアイコンを示している。
【００６５】
２１５はクエスチョンマーク２５６により通信ができず相手機種を識別できない室内機２グループを示すアイコンで、２１６は吸い込む空気を空気マーク２５７で表示し、温度計マーク２５８で室温（℃）を表示している室内機２グループを示すアイコンで、２１７は温度計マーク２５８で設定温度（℃）を表示している個別のリモコンを示すアイコンである。
【００６６】
２１８〜２２２はコーテーションマーク２５９を添付することでユニットに異常が発生していることを警告するアイコンである。２１８は室内機２、２１９は換気機、２２０は室外機１、２２１は個別のリモコン、２２２は集中リモコン５の各ユニットを示すアイコンで、ここでは、各ユニットを橙色で表示することで暖房の赤と混同されるのを防いでいる。コーテーションマーク２５９を点滅させて、より分かりやすくしても良い。
【００６７】
２２３〜２２７は天井マーク２６０と室内機マーク２６１により天井の断面と天井取り付け型の室内機２の断面を表示し、風向マーク２６２の角度で風の広がりを表現し吹き始めを濃く表示しているアイコンである。２２７は風向が自動的に上下に動くように設定されていることを示すアイコンで、風向マーク２６２を１つづつ順番に表示して４段階の風向を表現している。２２８〜２３１は天井マーク２６０と室内機マーク２６１により天井の断面と天井取り付け型の室内機２の断面を表示し、風速マーク２６３により風速を表示しているアイコンである。これも風向と同様に、風速マーク２６３の角度で風の広がりを表示し、吹き始めを濃く表現している。風量は風速マーク２６３の面積の大小で示している。
【００６８】
図５は図３に示す運転状態画面メニューの全グループの一覧表示（縮小）画面を示す図であり、全グループの状態を一目で知ることができる。この画面では、図４に示すアイコン２０１〜２０８，２１１〜２１５，２１８〜２２２が表示される。遠隔監視端末機１５のカーソルをアイコンに当てた場合、そのグループのグループ名３０１が表示される。全てのグループ名３０１を同時に表示するには、文字制限をする必要があり見づらい画面となるが、この表示方法では解決されている。ブラウザ画面は自動的に更新されないため、画面の「Ｕｐｄａｔｅ」ボタン３０２をクリックすることで最新の情報に更新する。また、画面の「Ｂａｔｃｈ  Ｏｐｅｒａｔｉｏｎｓ」ボタン３０３をクリックすると、全グループに対する設定を同時に行うことができる。さらに、画面の「Ｅｎｌａｒｇｅ」ボタン３０４をクリックすると、図３の運転状態画面メニューのブロック単位の一覧表示（拡大）画面に移る。
【００６９】
図６は運転状態画面メニューのブロック単位の一覧表示（拡大）画面を示す図である。ここで、ブロックとは複数のグループで構成される単位である。図６ではブロック毎の運転状態、冷房・暖房モード、設定温度、室温が表示されている。運転状態のアイコン３０５をクリックすると、図３の運転状態画面メニューの個別リモコン操作画面に移る。
【００７０】
図７は運転状態画面メニューの個別リモコン操作画面を示す図である。ここでは、ＯＮ／ＯＦＦ、運転モード、設定温度、風向、風量、個別のリモコン操作の禁止／許可、フィルタ警告表示のリセット操作、換気機のＯＮ／ＯＦＦ、風量設定の変更を行うことができる。画面の「ＯＫ」ボタン３０６をクリックすると操作内容が送信され有効となる。画面の「Ｃａｎｃｅｌ」ボタン３０７をクリックすると操作内容はキャンセルされる。画面の「Ｍａｌｆｕｎｃｔｉｏｎ  Ｌｉｓｔ」ボタン３０８をクリックすると、図３の運転状態画面メニューの異常発生中のユニット表示画面に移る。
【００７１】
図８は運転状態画面メニューの異常発生中のユニット表示画面を示す図である。異常発生中のユニットがあった場合に、異常を示す図４のアイコン２１８〜２２２と、ユニットのアドレス及び異常コード番号（Ｅｒｒｏｒ  Ｃｏｄｅ）が表示される。画面の「Ａｌｌ  Ｒｅｓｅｔ」ボタン３０９をクリックすると、全ての異常発生中のユニットに対し停止信号が送信されて異常がリセットされる。画面の「Ｆｉｌｔｅｒ  Ｓｉｇｎ  Ｌｉｓｔ」ボタン３１０をクリックすると、図３の運転状態画面メニューのフィルタサイン発生中のユニット表示画面に移る。
【００７２】
図９は運転状態画面メニューのフィルタサイン発生中のユニット表示画面を示す図である。フィルタ警告中のユニットに対し、図４のフィルタ警告アイコン２１１〜２１４、ユニットアドレスが表示される。画面の「Ｒｅｓｅｔ」ボタン３１１をクリックすると、そのユニットに対してフィルタ警報リセット信号を送信し、画面の「Ａｌｌ  Ｒｅｓｅｔ」ボタン３１２をクリックすると、全ユニットに対してフィルタ警報リセット信号を送信する。画面の「Ｍａｉｎｔｅｎａｎｃｅ」ボタン３１３をクリックすると、図３のメンテナンス画面メニューの異常前データ（一覧）画面に移る。
【００７３】
図１０はメンテナンス画面メニューの異常前データ（一覧）画面を示す図である。異常が発生したユニットアドレス、発生時刻、異常コード番号が表示される。画面の「Ｃｌｅａｒ  Ｌｏｇ」ボタン３１４をクリックすると異常内容がリセットされ、画面の「Ｓｈｏｗ  Ｄｅｔａｉｌ  Ｌｏｇ」ボタン３１５をクリックすると、図３のメンテナンス画面メニューの異常前データ（内容）画面に移る。
【００７４】
図１１はメンテナンス画面メニューの異常前データ（内容）画面を示す図である。ユニットに記憶された１分間隔の異常前のセンサ情報及びアクチュエータ情報が表示される。画面の「Ｓｅｎｄ  Ｍａｉｌ  Ｌｏｇ」ボタン３１６をクリックすると、図３のメンテナンス画面メニューのメール送信履歴画面に移る。
【００７５】
図１２はメンテナンス画面メニューのメール送信履歴画面を示す図である。異常が発生した場合に、メールを送信した時刻、異常発生ユニットアドレス、異常コード番号、異常発生か復旧かの差異、メール送信に成功したか否かが表示される。画面の「Ｃｌｅａｒ  Ｌｏｇ」ボタン３１７をクリックすると上記情報は消去される。メールを送信した時間や内容がわかるので、メールが届かなかった場合には、集中リモコンの不具合か、中継するプロバイダ会社の不具合かを識別することができる。
【００７６】
このように、図１に示す集中リモコン５の管理情報処理部１２ａにより管理情報を処理することで、空気調和システムが設置されるビル等の管理者及び保守者は、市場における入手性にも優れ汎用性とコストパフォーマンスが高いパソコンを使用した遠隔監視端末機１５により、空気調和装置の運転情報を得ることができる。また、パソコンのマウス、キーボード、大画面の表示手段等を使用することで、操作性が良好となり、空気調和装置の遠隔監視もし易くなっている。
【００７７】
さらに、パソコンを使用した遠隔監視端末機１５は、汎用で遠隔監視を行うことができるブラウザソフト１６を搭載しているので、このパソコンを事務処理に使用していても、空気調和装置の遠隔監視と同時に使用する事務用ソフトに影響を与えることはなく、事務用パソコンを監視用パソコンに併用できるため、余分な設備投資や設置場所の確保が不要となる。
【００７８】
また、集中リモコン５は、操作決定手段７、表示手段９及び操作情報処理部１１を備えているため、遠隔監視端末機１５として使用しているパソコンに不具合が発生しても、一般ユーザによる空気調和装置の運転操作には支障がない。その上、集中リモコン５の管理情報処理部１２ａがビル内に設置された空気調和装置の管理制御を継続して行うので、ビルの設備管理の面においても不具合が発生しない。
【００７９】
以上のように、この実施の形態１によれば、集中リモコン５を、専用の通信線を使用した伝送媒体４で空気調和装置と接続し、パソコンと接続可能な伝送媒体１４でブラウザソフト１６搭載のパソコンを使用した遠隔監視端末機１５と接続すると共に、集中リモコン５が、機能別に独立した操作設定手段８を有する操作決定手段７と、操作決定手段７による操作情報や収集した空気調和装置の運転情報を処理し表示手段９に表示させるための画面情報を生成する操作情報処理部１１と、遠隔監視端末機１５からの制御情報を中継して空気調和装置に送信して空気調和装置を制御し、収集した空気調和装置の運転情報を処理して遠隔監視端末機１５に表示させる画面情報を生成する管理情報処理部１２ａを備えることにより、遠隔監視に特別な機器、プログラム及び工事の追加が不要となり、販売者、サービス業者、設備設計者にとって取り扱いが簡単になり、システム構築や運用のための費用を最小限に抑えることができるという効果が得られる。
【００８０】
実施の形態２．
図１３はこの発明の実施の形態２による空気調和システムの構成を示すブロック図である。図において、５ａ〜５ｃはそれぞれ室外機１ａ〜１ｃ及び室内機２ａ〜２ｃにより構成される各空気調和装置と伝送媒体４を介して接続され、各空気調和装置を複数のグループに分けてグループ毎に運転操作を行うと共に、空気調和装置の各々の運転情報を収集し運転状態の監視を行う集中リモコン、１４はＬＡＮ等のパソコンと接続可能な伝送媒体、２１は複数のＬＡＮ機器を接続可能なハブを使用した分岐手段であり、その他の構成は実施の形態１の図１に示す構成と同様である。
【００８１】
図１３に示すように、ブラウザソフト１６を搭載した遠隔監視端末機１５は、伝送媒体１４及びハブを使用した分岐手段２１を介して、複数の集中リモコン５ａ〜５ｃに接続されている。また、集中リモコン５ａ〜５ｃは、実施の形態１の図１における集中リモコン５が備えている構成を有するものとする。
【００８２】
次に動作について説明する。
集中リモコン５ａ〜５ｃの処理は実施の形態１の図１における集中リモコン５の処理と同様であり、各集中リモコン５ａ〜５ｃにおける管理情報処理部１２ａは、収集した空気調和装置の運転情報を処理して遠隔監視端末機１５に表示させる画面情報を生成し、伝送手段１３、伝送媒体１４及び分岐手段２１を介して遠隔監視端末機１５に送信する。パソコンを使用した遠隔監視端末機１５は、搭載しているブラウザソフト１６により、送信された画面情報をモニタ等の表示手段（図示せず）に表示して、空気調和装置の運転状態を監視する。
【００８３】
また、遠隔監視端末機１５は、伝送媒体１４及び分岐手段２１を介して、集中リモコン５ａ〜５ｃに対して制御情報を送信する。各集中リモコン５ａ〜５ｃの管理情報処理部１２ａは、遠隔監視端末機１５からの制御情報を中継して空気調和装置に送信し空気調和装置を制御する。
【００８４】
以上のように、この実施の形態２によれば、実施の形態１と同様の効果が得られると共に、複数の集中リモコン５ａ〜５ｃを、ＬＡＮ等のパソコンと接続可能な伝送媒体１４及び複数のＬＡＮ機器を接続可能なハブを使用した分岐手段２１で遠隔監視端末機１５と接続することにより、大規模な空気調和システムの場合でも、従来のような統括コントローラ１１１が不要となり、安価に空気調和システムを構築することができるという効果が得られる。
【００８５】
また、この実施の形態２によれば、集中リモコン５ａ〜５ｃに親子関係がないため、新しい機能を有する新型の空気調和装置を従来のシステムに付加した場合でも、従来のように新しい機能の信号を中継する設備コントローラ１０６及び統括コントローラ１１１のプログラムを変更する必要がなく、費用の増大に加えサービスにおいても多大な負荷もかからないので、集中リモコン５ａ〜５ｃの機器開発や管理が容易となるという効果が得られる。
【００８６】
さらに、この実施の形態２によれば、遠隔監視端末機１５が集中リモコン５ａ〜５ｃを介在して個々の空気調和装置を運転操作することが可能になり、遠隔監視端末機１５が従来の個々の空気調和装置の伝送媒体１０４に接続された個別のリモコン１０３ａ〜１０３ｃの代替機器となり得るという効果が得られる。従来、個別のリモコン１０３ａ〜１０３ｃやその配線は、システムの施工時に、レイアウト上の制約や、部品や工事に要する費用、取付場所の意匠面での制約が発生していたのに加え、個別のリモコン１０３ａ〜１０３ｃのインタフェース機能は個々の仕様に限定されて、汎用的なＬＡＮを使用した伝送媒体１４を介した空気調和装置の運転操作は不可能であったが、このシステム構成によって可能となる。
【００８７】
実施の形態３．
図１４はこの発明の実施の形態３による空気調和システムの構成を示すブロック図である。図において、２２は分岐手段２１に接続されたルータを使用した公衆回線中継器、２３は電話回線等の公衆回線であり、その他の構成は、実施の形態２の図１３における同符号の構成と同様である。図１４に示すように、集中リモコン５ａ，５ｂは、ＬＡＮ等のパソコンと接続可能な伝送媒体１４、ハブを使用した分岐手段２１、ルータを使用した公衆回線中継器２２及び公衆回線２３を介して、ブラウザソフト１６を搭載した遠隔監視端末機１５と接続されている。
【００８８】
次に動作について説明する。
集中リモコン５ａ，５ｂ及びブラウザソフト１６を搭載した遠隔監視端末機１５の処理は、公衆回線中継器２２及び公衆回線２３を介して通信する以外は、実施の形態２と同様である。公衆回線中継器２２として使用されるルータは、例えばダイアルアップルータやブロードバンドルータ等に代表されるものであり、電話番号の識別ができるために、登録されている電話番号以外の電話をキャンセルするセキュリティ機能と、隔監視端末機１５から伝送媒体１４上に接続されたどの集中リモコン５ａ，５ｂに接続するかの選択機能を有している。
【００８９】
以上のように、この実施の形態３によれば、実施の形態２と同様の効果が得られると共に、セキュリティ機能と選択機能を有するルータを使用した公衆回線中継器２２と公衆回線２３を接続することにより、１本の公衆回線２３から複数の集中リモコン５ａ，５ｂを選択することができ、遠隔監視端末機１５からの管理や集中リモコン５ａ，５ｂ自体の機器開発が容易になるという効果が得られる。
【００９０】
実施の形態４．
図１５はこの発明の実施の形態４による空気調和システムの構成を示すブロック図である。図において、１２ｂは集中リモコン５の中央処理手段１０に備えられ、遠隔監視端末機１５からの制御情報を中継して空気調和装置に送信すると共に、空気調和装置から収集した運転情報を中継して遠隔監視端末機１５に送信する管理情報処理部で、１７は遠隔監視端末機１５に搭載され集中リモコン５から送信された空気調和装置の運転情報を処理して画面情報を生成し、モニタ等の表示手段（図示せず）上に表示させるビル等のプログラムソフトである管理情報処理手段であり、その他の構成は実施の形態１の図１に示す同符号の構成と同様である。
【００９１】
次に動作について説明する。
集中リモコン５の操作情報処理部１１の処理は実施の形態１と同様である。管理情報処理部１２ｂは伝送媒体１４及び伝送手段１３を介して受信した遠隔監視端末機１５からの制御情報を中継して、伝送手段６及び伝送媒体４を介して空気調和装置に送信して空気調和装置を制御する。
【００９２】
また、管理情報処理部１２ｂは、伝送媒体４及び伝送手段６を介して収集した空気調和装置の運転情報を中継して、伝送手段１３及び伝送媒体１４を介して遠隔監視端末機１５に送信する。遠隔監視端末機１５は、搭載している管理情報処理手段１７により、集中リモコン５から送信された運転情報を処理して画面情報を生成し内蔵の表示手段に表示して、空気調和装置の運転状態を監視する。
【００９３】
以上のように、この実施の形態４によれば、集中リモコン５を、専用の通信線を使用した伝送媒体４で空気調和装置と接続し、パソコンと接続可能な伝送媒体１４でパソコンを使用した遠隔監視端末機１５と接続すると共に、集中リモコン５が、機能別に独立した操作設定手段８を有する操作決定手段７と、操作決定手段７による操作情報や収集した空気調和装置の運転情報を処理し表示手段９に表示させるための画面情報を生成する操作情報処理部１１と、遠隔監視端末機１５からの制御情報を中継して空気調和装置に送信して空気調和装置を制御し、収集した空気調和装置の運転情報を中継して遠隔監視端末機１５に送信する管理情報処理部１２ｂを備え、遠隔監視端末機１５が画面情報を生成する管理情報処理手段１７を搭載することにより、遠隔監視に特別な機器が不要となり、販売者、サービス業者、設備設計者にとって取り扱いが簡単になり、システム構築や運用のための費用を最小限に抑えることができるという効果が得られる。
【００９４】
また、この実施の形態４によれば、遠隔監視端末機１５が複数の集中リモコン５に属する全ての空気調和装置の情報を一括で処理したり、空気調和装置の情報を外部に取り出して処理することができるため、パソコンによるビル等の空気調和システムの一括管理が可能になるという効果が得られる。
【００９５】
さらに、この実施の形態４においても、上記実施の形態２と同様に、分岐手段２１を介して遠隔監視端末機１５と複数の集中リモコン５ａ〜５ｃを接続することにより、遠隔監視端末機１５により個々の空気調和装置を運転操作することができ、実施の形態２と同様の効果が得られる。
【００９６】
さらに、この実施の形態４においても、上記実施の形態３と同様に、分岐手段２１、公衆回線中継器２２及び公衆回線２３を介して遠隔監視端末機１５と複数の集中リモコン５ａ，５ｂを接続することにより、実施の形態３と同様の効果が得られる。
【００９７】
実施の形態５.
図１６はこの発明の実施の形態５による空気調和システムの構成を示すブロック図である。図において、２３ａ，２３ｂは電話回線等の公衆回線、２４ａ，２４ｂはインターネット仲介業者、２５は個々のインターネット仲介業者２４ａ，２４ｂが接続するインターネット、２６はパソコンを使用した遠隔監視端末機１５と共に電子メールの通信機能を備え、インターネット接続機能を持った携帯電話端末である。また、集中リモコン５ａ，５ｂにおける管理情報処理部１２ａも電子メールの生成機能を備えている。その他の構成は実施の形態３の図３に示す同符号の構成と同様である。
【００９８】
図１６に示すように、単一又は複数の集中リモコン５ａ，５ｂは、ＬＡＮ等のパソコンと接続可能な伝送媒体１４、ハブを使用した分岐手段２１、ルータを使用した公衆回線中継器２２及び公衆回線２３ａを介して、インターネット仲介業者２４ａに接続されている。また、ブラウザソフト１６を搭載した遠隔監視端末機１５は公衆回線２３ｂを介してインターネット仲介業者２４ｂと接続されている。
【００９９】
次に動作について説明する。
集中リモコン５ａ，５ｂ及びブラウザソフト１６を搭載した遠隔監視端末機１５の基本的な処理は、公衆回線中継器２２、公衆回線２３ａ，２３ｂ、インターネット仲介業者２４ａ，２４ｂ及びインターネット２５を介して通信する以外は、実施の形態２と同様である。
【０１００】
集中リモコン５ａ，５ｂの管理情報処理部１２ａは、空気調和装置の運転情報又は遠隔監視端末機１５から得た制御情報に関する電子メール情報を生成し、伝送手段１３、伝送媒体１４、分岐手段２１、公衆回線中継器２２及び公衆回線２３ａを介してインターネット仲介業者２４ａに送信する。インターネット仲介業者２４ａは受信した電子メール情報を、インターネット２５を介して、別のインターネット仲介業者２４ｂに接続された遠隔監視端末機１５又は携帯電話端末２６に送信する。
【０１０１】
携帯電話端末２６は電子メール情報を着信すれば、音声等を発報する機能を有するため、例えば、空気調和装置に異常が発生した場合に、この空気調和装置が接続された集中リモコン５ａ又は５ｂから異常に関する電子メール情報を送信するようにすれば、携帯電話端末２６を所持するサービスマンに異常の発生を即座に伝えることができる。
【０１０２】
この実施の形態５では、実施の形態１と同様に、集中リモコン５ａ，５ｂに管理情報処理部１２ａを備え、遠隔監視端末機１５がブラウザソフト１６を搭載しているが、実施の形態４と同様に、集中リモコン５ａ，５ｂに管理情報処理部１２ｂを備え、遠隔監視端末機１５が管理情報処理手段１７を搭載しても良い。
【０１０３】
以上のように、この実施の形態５によれば、実施の形態３又は実施の形態４と同様の効果が得られると共に、空気調和装置の運転情報又は遠隔監視端末機１５から得た制御情報を電子メール情報として即時に伝達することにより、サービス性を向上することができるという効果が得られる。
【０１０４】
実施の形態６．
図１７はこの発明の実施の形態６による空気調和システムの構成を示すブロック図である。図において、２７はＲＳ２３２Ｃインタフェースを使用した伝送媒体、２８はモデムを使用した公衆回線中継器である。５Ａは集中リモコン（第二の集中リモコン）であり、伝送媒体４を介して室外機１ａ、室内機２ａにより構成される空気調和装置（第二の空気調和装置）に接続され、ＬＡＮ等のパソコンと接続可能な伝送媒体１４及びハブを使用した分岐手段２１を介して集中リモコン５ｂ，５ｃ（第一の集中リモコン）に接続され、ＲＳ２３２Ｃインタフェースを使用した伝送媒体２７、モデムを使用した公衆回線中継器２８及び公衆回線２３を介して、ブラウザソフト１６を搭載した遠隔監視端末機１５に接続されている。
【０１０５】
また、集中リモコン５ｂ，５ｃは、実施の形態２と同様に、伝送媒体１４を介して分岐手段２１に接続されると共に、それぞれ伝送媒体４を介して、室外機１ｂ、室内機２ｂにより構成される空気調和装置（第一の空気調和装置）、室外機１ｃ、室内機２ｃにより構成される空気調和装置（第一の空気調和装置）に接続されている。
【０１０６】
図１８は集中リモコン５Ａの内部構成を示すブロック図であり、実施の形態１の図１に示す集中リモコン５に、ＲＳ２３２Ｃインタフェースを使用した伝送媒体２７に接続され遠隔監視端末機１５と通信を行う伝送手段１８（第三の伝送手段）を追加したものである。なお、伝送手段１３（第二の伝送手段）は伝送媒体１４及び分岐手段２１を介して集中リモコン５ｂ，５ｃと通信を行う。
【０１０７】
また、図１９は集中リモコン５ｂ，５ｃの内部構成を示すブロック図であり、実施の形態４の図１５に示す集中リモコン５と同じ構成であるが、伝送手段１３は伝送媒体１４及び分岐手段２１を介して集中リモコン５Ａと通信を行う。
【０１０８】
次に動作について説明する。
集中リモコン５Ａ及び集中リモコン５ｂ，５ｃにおける操作情報処理部１１の処理は実施の形態１と同様である。集中リモコン５ｂ，５ｃの管理情報処理部１２ｂは、それぞれ室外機１ｂ、室内機２ｂにより構成される空気調和装置の運転情報、室外機１ｃ、室内機２ｃにより構成される空気調和装置の運転情報を、伝送媒体４及び伝送手段６を介してそれぞれ収集して、伝送手段１３、伝送媒体１４及び分岐手段２１を介して集中リモコン５Ａに送信する。
【０１０９】
集中リモコン５Ａの管理情報処理部１２ａは、室外機１ａ、室内機２ａにより構成される空気調和装置の運転情報を、伝送媒体４及び伝送手段６（第一の伝送手段）を介して収集すると共に、伝送手段１３を介して集中リモコン５ｂ，５ｃからの運転情報を受信して画面情報を生成し、伝送手段１８、伝送媒体２７、公衆回線中継器２８及び公衆回線２３を介して遠隔監視端末機１５に送信する。
【０１１０】
遠隔監視端末機１５は、集中リモコン５Ａから送信された画面情報を受信し、ブラウザソフト１６によりモニタ等の表示手段（図示せず）上に表示して空気調和装置の運転状態を監視する。
【０１１１】
また、遠隔監視端末機１５からの制御情報は、公衆回線２３、公衆回線中継器２８及び伝送媒体２７を介して集中リモコン５Ａに送信される。集中リモコン５Ａの管理情報処理部１２ａは、伝送手段１８を介して受信した遠隔監視端末機１５からの制御情報を中継し、伝送手段６及び伝送媒体４を介して、室外機１ａ及び室内機２ａにより構成される空気調和装置に送信すると共に、伝送手段１３、伝送媒体１４及び分岐手段２１を介して集中リモコン５ｂ，５ｃに送信する。集中リモコン５ｂ，５ｃの管理情報処理部１２ｂは、伝送手段１３を介して受信した遠隔監視端末機１５からの制御情報を中継し、伝送手段６及び伝送媒体４を介して、室外機１ｂ及び室内機２ｂ、室外機１ｃ及び室内機２ｃによりそれぞれ構成される空気調和装置にそれぞれ送信する。
【０１１２】
以上のように、この実施の形態６によれば、実施の形態１と同様の効果が得られると共に、複数の集中リモコン５Ａ，５ｂ，５ｃを、集中リモコン５Ａを代表させて、市場における入手性が高く据付自由度が増大するモデムを使用した公衆回線中継器２８を介して遠隔監視端末機１５に接続することにより、大規模な空気調和システムの場合でも、従来のような統括コントローラ１１１が不要となり、安価に空気調和システムを構築することができるという効果が得られる。
【０１１３】
また、この実施の形態６によれば、遠隔監視端末機１５が集中リモコン５Ａ，５ｂ，５ｃを介在して個々の空気調和装置を運転操作することが可能になり、遠隔監視端末機１５が従来の個々の空気調和装置の伝送媒体１０４に接続された個別のリモコン１０３ａ〜１０３ｃの代替機器となり得るという効果が得られる。
【０１１４】
実施の形態７．
図２０はこの発明の実施の形態７による空気調和システムの構成を示すブロック図である。実施の形態６の図１７における遠隔監視端末機１５がブラウザソフト１６を搭載しているのに対し、図２０における遠隔監視端末機１５は、実施の形態４と同様に、ビル等のプログラムソフトである管理情報処理手段１７を搭載している。その他の構成は実施の形態６の図１７の同符号の構成と同様である。
【０１１５】
図２１は集中リモコン５Ａの内部構成を示すブロック図であり、実施の形態４の図１５に示す集中リモコン５に、ＲＳ２３２Ｃインタフェースを使用した伝送媒体２７に接続される伝送手段１８（第三の伝送手段）を追加したものである。なお、伝送手段１３（第二の伝送手段）は伝送媒体１４及び分岐手段２１を介して集中リモコン５ｂ，５ｃ（第一の集中リモコン）と通信を行う。集中リモコン５ｂ，５ｃの内部構成を示すブロック図は、実施の形態６の図１９に示す構成と同じ構成である。
【０１１６】
次に動作について説明する。
集中リモコン５Ａ（第二の集中リモコン）及び集中リモコン５ｂ，５ｃにおける操作情報処理部１１の処理は実施の形態１と同様である。集中リモコン５ｂ，５ｃの管理情報処理部１２ｂは、それぞれ室外機１ｂ、室内機２ｂにより構成される空気調和装置（第一の空気調和装置）の運転情報、室外機１ｃ、室内機２ｃにより構成される空気調和装置（第一の空気調和装置）の運転情報を、伝送媒体４及び伝送手段６を介して収集して、伝送手段１３、伝送媒体１４及び分岐手段２１を介して集中リモコン５Ａに送信する。
【０１１７】
集中リモコン５Ａの管理情報処理部１２ｂは、室外機１ａ、室内機２ａにより構成される空気調和装置（第二の空気調和装置）の運転情報を、伝送媒体４及び伝送手段６（第一の伝送手段）を介して収集すると共に、伝送手段１３を介して受信した集中リモコン５ｂ，５ｃからの運転情報を中継し、伝送手段１８、伝送媒体２７、公衆回線中継器２８及び公衆回線２３を介して遠隔監視端末機１５に送信する。
【０１１８】
遠隔監視端末機１５は、集中リモコン５Ａから送信された空気調和装置の運転情報を受信し、管理情報処理手段１７が画面情報を生成してモニタ等の表示手段（図示せず）上に表示し、空気調和装置の運転状態を監視する。
【０１１９】
また、遠隔監視端末機１５からの制御情報は、公衆回線２３、公衆回線中継器２８及び伝送媒体２７を介して集中リモコン５Ａに送信される。集中リモコン５Ａの管理情報処理部１２ｂは、伝送手段１８を介して受信した遠隔監視端末機１５からの制御情報を中継し、伝送手段６及び伝送媒体４を介して空気調和装置に送信すると共に、伝送手段１３、伝送媒体１４及び分岐手段２１を介して集中リモコン５ｂ，５ｃに送信する。集中リモコン５ｂ，５ｃの管理情報処理部１２ｂは、伝送手段１３を介して受信した遠隔監視端末機１５からの制御情報を中継し、伝送手段６及び伝送媒体４を介してそれぞれの空気調和装置に送信する。
【０１２０】
以上のように、この実施の形態７によれば、実施の形態４と同様の効果が得られると共に、複数の集中リモコン５Ａ，５ｂ，５ｃを、集中リモコン５Ａを代表させて、市場における入手性が高く据付自由度が増大するモデムを使用した公衆回線中継器２８を介して遠隔監視端末機１５に接続することにより、大規模な空気調和システムの場合でも、従来のような統括コントローラ１１１が不要となり、安価に空気調和システムを構築することができるという効果が得られる。
【０１２１】
また、この実施の形態７によれば、遠隔監視端末機１５が集中リモコン５Ａ，５ｂ，５ｃを介在して個々の空気調和装置を運転操作することが可能になり、遠隔監視端末機１５が従来の個々の空気調和装置の伝送媒体１０４に接続された個別のリモコン１０３ａ〜１０３ｃの代替機器となり得るという効果が得られる。
【０１２２】
実施の形態８.
図２２はこの発明の実施の形態８による空気調和システムの構成を示すブロック図である。この実施の形態８は、実施の形態６の図１７又は実施の形態７の図２０で示したシステム構成に、実施の形態５の図１６で示したインターネット仲介業者２４ａ，２４ｂ及びインターネット２５を介在させて、遠隔監視端末機１５や携帯電話端末２６と集中リモコン５Ａを通信可能にしたものである。
【０１２３】
集中リモコン５Ａの内部構成を示すブロック図は、実施の形態６の図１８又は実施の形態７の図２１に示す構成と同様であるが、管理情報処理部１２ａ又は管理情報処理部１２ｂは電子メール情報を生成する機能を有している。
【０１２４】
次に動作について説明する。
集中リモコン５Ａの管理情報処理部１２ａ又は管理情報処理部１２ｂは、伝送手段６を介して収集した空気調和装置の運転情報及び集中リモコン５ｂから伝送手段１３を介して受信した運転情報又は遠隔監視端末機１５から得た制御情報に関する電子メール情報を生成し、伝送手段１８、ＲＳ２３２Ｃインタフェースを使用した伝送媒体２７、モデムを使用した公衆回線中継器２８及び公衆回線２３ａを介してインターネット仲介業者２４ａに送信する。インターネット仲介業者２４ａは受信した電子メール情報を、インターネット２５を介して別のインターネット仲介業者２４ｂに接続された遠隔監視端末機１５又は携帯電話端末２６に送信する。
【０１２５】
以上のように、この実施の形態８によれば、実施の形態６又は実施の形態７と同様の効果が得られると共に、空気調和装置の運転情報又は遠隔監視端末機１５から得た制御情報を電子メール情報として即時に伝達することにより、サービス性を向上することができるという効果が得られる。
【０１２６】
実施の形態９．
図２３はこの発明の実施の形態９による空気調和システムの構成を示すブロック図であり、図において、３１は集中リモコン５ｂ，５ｃ（第一の集中リモコン）と分岐手段２１と伝送媒体４と伝送媒体１４とを配置した制御盤であり、３２は集中リモコン５Ａ（第二の集中リモコン）と伝送媒体４と伝送媒体１４とを配置し、制御盤３１の筐体外又は制御盤３１上に設置した操作盤である。
【０１２７】
この実施の形態９は、実施の形態６から実施の形態８のシステム構成の据付形態を示したものであり、集中リモコン５Ａが、空気調和システム内の操作決定手段７や表示手段９を代表して操作や表示ができるように配置したもので、集中リモコン５Ａを配置した操作盤３２は制御盤３１のパネル面や制御盤３１外に単独に設置される。このような集中リモコン５Ａ及び集中リモコン５ｂ，５ｃを含む制御盤３１や操作盤３２は、パッケージ化してメーカから供給され施工される。そして、集中リモコン５Ａの伝送手段１８から、モデムを使用した公衆回線中継器２８を介して、遠隔監視端末機１５と接続することにより空気調和装置の遠隔監視を構成することが可能である。
【０１２８】
また、例えば実施の形態２で示したようなシステム構成における集中リモコン５ａ〜５ｃのいずれかを代表させて、集中リモコン５Ａの代りに操作盤３２に配置することも可能である。
【０１２９】
以上のように、この実施の形態９によれば、集中リモコン５ｂ，５ｃや集中リモコン５Ａをパッケージ化した制御盤３１や操作盤３２をメーカから供給し施工することにより、空気調和システムのコンパクト化を図ることができると共に、省工事性が増し、延いては工事費用を削減することができるという効果が得られる。
【０１３０】
実施の形態１０．
図２４はこの発明の実施の形態１０による空気調和システムの構成を示すブロック図である。図において、２９は実施の形態６の図１７における集中リモコン５Ａが保有する隔監視端末機１５の管理機能のみを保有するインタフェース機能を搭載した情報中継器であり、その他の構成は実施の形態６の図１７に示す同符号の構成と同様である。
【０１３１】
図２５は情報中継器２９の内部構成を示すブロック図であり、実施の形態６の図１８に示す集中リモコン５Ａに対して、中央処理手段１０、管理情報処理部１２ａ、伝送媒体１４と接続される伝送手段１３（第一の伝送手段）、ＲＳ２３２Ｃインタフェースを使用した伝送媒体２７と接続される伝送手段１８（第二の伝送手段）のみを備えている。また、集中リモコン５ｂ，５ｃの内部構成を示すブロック図は実施の形態６の図１９に示す構成と同様である。
【０１３２】
次に動作について説明する。
集中リモコン５ｂ，５ｃの管理情報処理部１２ｂは、実施の形態６と同様に、収集した空気調和装置の運転情報を、伝送手段１３、伝送媒体１４及び分岐手段２１を介して情報中継器２９に送信する。
【０１３３】
情報中継器２９の管理情報処理部１２ａは、伝送手段１３を介して集中リモコン５ｂ，５ｃからの運転情報を受信して画面情報を生成し、伝送手段１８、伝送媒体２７、公衆回線中継器２８及び公衆回線２３を介して遠隔監視端末機１５に送信する。遠隔監視端末機１５は、情報中継器２９から受信した画面情報をモニタ等の表示手段（図示せず）上に表示して空気調和装置の運転状態を監視する。
【０１３４】
また、遠隔監視端末機１５からの制御情報は、公衆回線２３、公衆回線中継器２８及び伝送媒体２７を介して情報中継器２９に送信される。情報中継器２９の管理情報処理部１２ａは、伝送手段１８を介して受信した遠隔監視端末機１５からの制御情報を中継し、伝送手段１３、伝送媒体１４及び分岐手段２１を介して集中リモコン５ｂ，５ｃに送信する。集中リモコン５ｂ，５ｃの管理情報処理部１２ｂは、伝送手段１３を介して受信した遠隔監視端末機１５からの制御情報を中継し、伝送手段６及び伝送媒体４を介して空気調和装置に送信する。
【０１３５】
このように、情報中継器２９は、実施の形態６の集中リモコン５Ａが備えている操作決定手段７、表示手段９及び伝送手段６を備えていないため、接続されている集中リモコン５ｂ，５ｃと遠隔監視端末機１５の管理機能のみを保有するインタフェース機能に限定されるが、管理情報処理装置としては安価に供給することができる。
【０１３６】
以上のように、この実施の形態１０によれば、実施の形態６と同様の効果が得られると共に、集中リモコン５ｂ，５ｃからの運転情報を、機能を最小限に抑えた安価な情報中継器２９に集約し、情報中継器２９が遠隔監視端末機１５との送受信を行うことにより、遠隔監視を行うための設置費用が少なくて済むという効果が得られる。
【０１３７】
実施の形態１１．
図２６はこの発明の実施の形態１１による空気調和システムの構成を示すブロック図である。図において、２９は実施の形態７の図２０における集中リモコン５Ａが保有する隔監視端末機１５の管理機能のみを保有するインタフェース機能を搭載した情報中継器であり、その他の構成は図２０に示す同符号の構成と同様である。
【０１３８】
図２７は情報中継器２９の内部構成を示すブロック図であり、実施の形態７の図２１に示す集中リモコン５Ａに対して、中央処理手段１０、管理情報処理部１２ｂ、伝送媒体１４と接続される伝送手段１３（第一の伝送手段）、伝送媒体２７と接続される伝送手段１８（第二の伝送手段）のみを備えている。また、集中リモコン５ｂ，５ｃの内部構成を示すブロック図は実施の形態６の図１９に示す構成と同様である。
【０１３９】
次に動作について説明する。
集中リモコン５ｂ，５ｃの管理情報処理部１２ｂは、実施の形態７と同様に、収集した空気調和装置の運転情報を中継し、伝送手段１３、伝送媒体１４及び分岐手段２１を介して情報中継器２９に送信する。
【０１４０】
情報中継器２９の管理情報処理部１２ｂは、伝送手段１３を介して受信した集中リモコン５ｂ，５ｃからの運転情報を中継し、伝送手段１８、伝送媒体２７、公衆回線中継器２８及び公衆回線２３を介して遠隔監視端末機１５に送信する。遠隔監視端末機１５の管理情報処理手段１７は、情報中継器２９から受信した運転情報から画面情報を生成し、モニタ等の表示手段（図示せず）上に表示して空気調和装置の運転状態を監視する。
【０１４１】
また、遠隔監視端末機１５からの制御情報は、公衆回線２３、公衆回線中継器２８及び伝送媒体２７を介して情報中継器２９に送信される。情報中継器２９の管理情報処理部１２ｂは、伝送手段１８を介して受信した遠隔監視端末機１５からの制御情報を中継し、伝送手段１３、伝送媒体１４及び分岐手段２１を介して集中リモコン５ｂ，５ｃに送信する。集中リモコン５ｂ，５ｃの管理情報処理部１２ｂは、伝送手段１３を介して受信した遠隔監視端末機１５からの制御情報を中継し、伝送手段６及び伝送媒体４を介して空気調和装置に送信する。
【０１４２】
以上のように、この実施の形態１１によれば、実施の形態７と同様の効果が得られると共に、集中リモコン５ｂ，５ｃからの運転情報を、機能を最小限に抑えた安価な情報中継器２９に集約し、情報中継器２９が遠隔監視端末機１５との送受信を行うことにより、遠隔監視を行うための設置費用が少なくて済むという効果が得られる。
【０１４３】
実施の形態１２.
図２８はこの発明の実施の形態１２による空気調和システムの構成を示すブロック図である。この実施の形態１２は、実施の形態１０の図２４又は実施の形態１１の図２６で示したシステム構成に、実施の形態５の図１６示したインターネット仲介業者２４ａ，２４ｂ及びインターネット２５を介在させて、遠隔監視端末機１５や携帯電話端末２６と情報中継器２９を通信可能にしたものである。
【０１４４】
情報中継器２９の内部構成を示すブロック図は、実施の形態１０の図２５又は実施の形態１１の図２７に示す構成と同様であるが、管理情報処理部１２ａ又は管理情報処理部１２ｂは電子メール情報を生成する機能を有している。
【０１４５】
次に動作について説明する。
情報中継器２９の管理情報処理部１２ａ又は管理情報処理部１２ｂは、集中リモコン５ｂ，５ｃから伝送手段１３を介して受信した運転情報又は遠隔監視端末機１５から得た制御情報に関する電子メール情報を生成し、伝送手段１８、ＲＳ２３２Ｃインタフェースを使用した伝送媒体２７、モデムを使用した公衆回線中継器２８及び公衆回線２３ａを介してインターネット仲介業者２４ａに送信する。インターネット仲介業者２４ａは受信した電子メール情報を、インターネット２５を介して別のインターネット仲介業者２４ｂに接続された遠隔監視端末機１５又は携帯電話端末２６に送信する。
【０１４６】
以上のように、この実施の形態１２によれば、実施の形態１０又は実施の形態１１と同様の効果が得られると共に、空気調和装置の運転情報又は遠隔監視端末機１５から得た制御情報を電子メール情報として即時に伝達することにより、サービス性を向上することができるという効果が得られる。
【０１４７】
実施の形態１３.
図２９はこの発明の実施の形態１３による空気調和システムの構成を示すブロック図である。図において、３３は各室内機２にそれぞれ接続され空気調和装置と併設される設備機器（第一及び第二の設備機器）、３４は室内機２と設備機器３３を接続する設備機器伝送線であり、その他の構成は実施の形態１の図１の同符号の構成と同様である。
【０１４８】
図３０は集中リモコン５の内部構成を示すブロック図であり、図において、４１は中央処理手段１０における空調機制御部、４２は空調機制御手順記憶部、４３は設備機器制御部、４４は設備機器制御手順記憶部である。この設備機器制御部４３を空調機制御部４１の基板上に配置することで、空気調和装置と併設される設備機器３３を制御するための特別な制御端末や、集中リモコン５と室内機２間の特別な伝送線の配線が不要となる。なお、この実施の形態１３における集中リモコン５は、実施の形態１の図１に示す集中リモコン５における同様の構成も備えているが、図３０では省略している。
【０１４９】
図３１は室内機２に内蔵される制御機器の室内機制御手段３６の内部構成を示すブロック図である。図において、５１は中央処理手段、５２は伝送媒体４と接続される伝送手段、５３は室内機２に内蔵される室内機構成部品３５と接続される室内機構成部品入出力手段、５４は設備機器伝送線３４を介して設備機器３３と接続される設備機器入出力手段である。
【０１５０】
次に動作について説明する。
集中リモコン５の中央処理手段１０は、設備機器制御手順記憶部４４に記憶されている制御手順に従い、室内機２に内蔵される制御機器の室内機制御手段３６に、伝送手段６と伝送媒体４を介して設備機器３３（第一の設備機器）の状態を監視する要求を送信する。室内機制御手段３６の中央処理手段５１は、伝送手段５２を介して受信した監視要求に従い、設備機器３３の状態を、伝送手段５２及び伝送媒体４を介して集中リモコン５へ送信する。
【０１５１】
集中リモコン５の中央処理手段１０は、空調機制御手順記憶部４２に記憶されている制御手順に従い、室内機制御手段３６に制御指令を送信する。室内機制御手段３６の中央処理手段５１は、集中リモコン５からの制御指令に従い、室内機構成部品入出力手段５３を介して室内機構成部品３５を制御する。また、集中リモコン５の中央処理手段１０は、設備機器制御手順記憶部４４に記憶されている制御手順に従い、室内機制御手段３６に制御指令を送信する。室内機制御手段３６の中央処理手段５１は、集中リモコン５からの制御指令に従い、設備機器入出力手段５４を介して監視対象の設備機器３３（第一の設備機器）と異なる別の設備機器３３（第二の設備機器）を制御する。
【０１５２】
図３２は集中リモコンの処理の流れの一例を示すフローチャートであり、ここでは、空気調和装置と併設される設備機器３３の例として、ホテルの客室キースイッチと客室の窓の開閉スイッチの場合とし、この設備機器３３の状態に対応した空気調和装置の制御手順の例を示している。集中リモコン５は、設備機器制御手順記憶部４４に記憶されている制御手順に従い、室内機制御手段３６に設備機器３３の監視要求を送信して設備機器３３の状態を受信する。
【０１５３】
図３２のステップＳＴ１１において、集中リモコン５の中央処理手段１０は受信した設備機器３３の状態より、ホテル客室キースイッチの状態が「ＯＮ」であるかを確認し、「ＯＦＦ」の場合には、ステップＳＴ１２において、空調機制御手順記憶部４２に記憶されている制御手順に従い、空気調和装置を停止させる制御指令を送信する。一方、ホテル客室キースイッチが「ＯＮ」の場合には、ステップＳＴ１３において、中央処理手段１０は受信した設備機器３３の状態より、設備機器制御手順記憶部４４に記憶されている制御手順に従い、窓の開閉スイッチが「開」であるかを確認し、「開」の場合には、ステップＳＴ１２において、空調機制御手順記憶部４２に記憶されている制御手順に従い、空気調和装置を停止させる制御指令を送信し、「閉」の場合には、ステップＳＴ１４において、空調機制御手順記憶部４２に記憶されている制御手順に従い、空気調和装置を運転させる制御指令を送信する。
【０１５４】
集中リモコン５の中央処理手段１０からの空気調和装置の停止又は運転の制御指令は、室内機制御手段３６に送信され、室内機制御手段３６の中央処理手段５１は、集中リモコン５からの制御指令に従い、室内機構成部品入出力手段５３を介して、室内機構成部品３５を制御する。
【０１５５】
この実施の形態１３では、実施の形態１の図１に設備機器３３を接続しているが、実施の形態４の図１５に設備機器３３を接続しても良い。
【０１５６】
以上のように、この実施の形態１３によれば、空気調和装置と併設される設備機器３３の状態に対応して他の設備機器３３又は空気調和装置を所定の手順に従って制御する場合に、特別な制御端末やその伝送線工事が不要となり、低コストで空気調和システム構築できるという効果が得られる。特にホテルのような空気調和装置の数が多く、各客室に任意の設備機器を設置する場合には、コスト削減効果はさらに顕著となる。
【０１５７】
なお、この実施の形態１３では、室内機制御手段３６及び室内機２に接続される設備機器３３の制御について説明したが、室外機１の室外機制御手段及び室外機１に接続される設備機器の制御においても同様のシステム構築が可能で、同様の効果が得られる。
【０１５８】
実施の形態１４.
図３３はこの発明の実施の形態１４による空気調和システムの構成を示すブロック図である。図において、１９は空気調和装置の設置時等の初期設定ツールとして使用される遠隔監視端末機１５における設備機器制御手順設定部であり、試運転時等に客先要求仕様を設定操作する場合に使用される。
【０１５９】
この実施の形態１４における集中リモコン５の内部構成を示すブロック図は、実施の形態１３の図３０と同様であり、室内機２に内蔵される制御機器の室内機制御手段３６の内部構成を示すブロック図も、実施の形態１３の図３１と同様である。
【０１６０】
次に動作について説明する。
初期設定ツールとして使用される遠隔監視端末機１５は、設備機器制御手順設定部１９で生成した設備機器制御手順を、伝送媒体１４を介して集中リモコン５に送信する。集中リモコン５は、伝送手段１３を介して設備機器制御手順を受信し、設備機器制御手順記憶部４４に記憶する。中央処理手段１０は、設備機器制御手順記憶部４４に記憶されている制御手順を読み出し、伝送手段６を介して室内機２の室内機制御手段３６に送信する。室内機制御手段３６は、伝送手段５２を介して制御手順を受信し、中央処理手段５１は設備機器入出力手段５４を介して設備機器３３を制御する。
【０１６１】
この実施の形態１４でも、実施の形態１３と同様に、図３２に示す制御例に適用できるが、ステップＳＴ１１〜ＳＴ１４の処理は同じであり、集中リモコン５の設備機器制御手順記憶部４４に記憶されている制御手順は、初期設定用ツールとしての遠隔監視端末機１５から送信されたものである。
【０１６２】
以上のように、この実施の形態１４によれば、実施の形態１３と同様の効果が得られると共に、パソコン等の試運転用ツールとして接続された遠隔監視端末機１５で任意に設定操作が可能になるため、空気調和システムの低コストとサービス性の向上を実現できるという効果が得られる。
【０１６３】
実施の形態１５.
図３４はこの発明の実施の形態１５による空気調和システムの構成を示すブロック図である。図において、３７は空気調和システムへの接続が予め想定されていない設備機器を同一システムとして制御するための設備管理機器であり、分岐手段２１を介して集中コントローラ５ａ，５ｂに接続されている。設備管理機器３７として、例えばプログラム構築が容易なシーケンサ等が使用される。
【０１６４】
３８は設備管理機器３７に接続された制御端末であり、設備管理機器３７としてシーケンサが使用された場合には、この制御端末３４はシーケンサに内蔵されている。３９はこの空気調和システムへの接続が予め想定されていない設備機器（第三の設備機器）である。
【０１６５】
図３５は設備管理機器３７の内部構成を示すブロック図である。図において、６１は中央処理手段、６２は空気調和装置と併設される設備機器３３（第一及び第二の設備機器）を制御するプログラムである設備機器制御手順生成手段、６３は空気調和システムへの接続が予め想定されていない設備機器３９を制御する設備機器制御手段、６４は伝送媒体１４に接続される伝送手段、６５は制御端末３８への伝送線に接続される伝送手段である。ここでは、設備機器３９を制御する設備機器制御手段６３に、設備機器３３を制御するプログラムである設備機器制御手順生成手段６２を搭載することで、設備機器３３を制御するための高価な制御機器が不要となる。
【０１６６】
この実施の形態１５における集中リモコン５ａ，５ｂの内部構成を示すブロック図は、実施の形態１３の図３０と同様であり、室内機２ａ，２ｂに内蔵される制御機器の室内機制御手段３６の内部構成を示すブロック図も、実施の形態１３の図３１と同様である。
【０１６７】
次に動作について説明する。
設備管理機器３７の中央処理手段６１は伝送手段６５を介して制御端末３８と通信し設備機器３９を制御する。設備管理機器３７の中央処理手段６１は、設備機器制御手順生成手段６２で生成された制御手順に従い、集中リモコン５ａ，５ｂに対して、室内機制御手段３６に接続された設備機器３３ａ，３３ｂ（第一の設備機器）の状態を監視する要求を送信する。
【０１６８】
集中リモコン５ａ，５ｂは室内機制御手段３６に接続された設備機器３３の状態を監視する要求を送信し、室内機制御手段３６は、上記監視要求に従い、設備機器３３ａ，３３ｂの状態を集中リモコン５ａ，５ｂに送信する。集中リモコン５ａ，５ｂは、設備機器３３ａ，３３ｂの状態を設備管理機器３７に送信する。
【０１６９】
設備管理機器３７は、集中リモコン５ａ，５ｂから設備機器３３ａ，３３ｂの状態を受信し、設備機器制御手順生成手段６２で生成された制御手順に従い、集中リモコン５ａ，５ｂに室内機制御手段３６への制御指令を送信する。集中リモコン５ａ，５ｂは、受信した制御指令を室内機制御手段３６に送信する。室内機制御手段３６の中央処理手段５１は、集中リモコン５ａ，５ｂからの制御指令に従い、監視対象の設備機器３３ａ，３３ｂ（第一の設備機器）と異なる別の設備機器３３ａ，３３ｂ（第二の設備機器）や室内機構成部品３５を制御する。
【０１７０】
また、設備管理機器３７は、集中リモコン５ａ，５ｂから受信した設備機器３３ａ，３３ｂの状態に応じて、設備機器制御手段６３により伝送手段６５を介して設備機器３９を制御することも可能である。
【０１７１】
図３６は図３４における設備機器３３ａ，３３ｂとしてホテル客室キースイッチ３３Ａを使用し、設備機器３９として共通換気機器３９Ａを使用した場合の空気調和システムの構成を示すブロック図である。また、図３７は設備管理機器３７の処理の流れの一例を示すフローチャートであり、ここでは、ホテル客室キースイッチ３３Ａと共通換気機器３９Ａを使用した場合を示している。
【０１７２】
設備管理機器３７の中央処理手段６１は、設備機器制御手順生成手段６２で生成された制御手順に従い、集中リモコン５ａ，５ｂを介して、室内機制御手段３６にホテル客室キースイッチ３３Ａの状態を監視する要求を送信し、ホテル客室キースイッチ３３Ａの状態を室内機制御手段３６を介して集中リモコン５ａ，５ｂから受信する。
【０１７３】
図３７のステップＳＴ３１において、設備管理機器３７の中央処理手段６１は、受信したホテル客室キースイッチ３３Ａの状態から、ホテル客室キースイッチ３３Ａが「ＯＮ」であるかを確認し、全室が「ＯＦＦ」の場合には、ステップＳＴ３２において、設備機器制御手段６３は共通換気機器３９Ａの停止の制御指令を制御端末３８に送信する。最低１室以上が「ＯＮ」の場合には、ステップＳＴ３３において、設備機器制御手段６３は共通換気機器の運転の制御指令を制御端末３８に送信する。
【０１７４】
以上のように、この実施の形態１５によれば、予め接続が想定されず物件毎に多種多様となる設備機器３９に対しては、設備管理機器３７で制御することにより、集中リモコン５ａ，５ｂを標準仕様として販売が可能になり、空気調和装置と併設される設備機器３３と予め接続が想定されない設備機器３９を関連させて運転させる制御システムを、高価な制御機器を付加することなく安価に実現することができるという効果が得られる。
【０１７５】
実施の形態１６．
図３８はこの発明の実施の形態１６による空気調和システムの構成を示すブロック図であり、実施の形態１５の図３４に示したシステム構成に遠隔監視端末機１５を接続して遠隔監視できるようにしたものである。
【０１７６】
図３９は集中リモコン５の内部構成を示すブロック図であり、図において、４５は図面生成部、４６は図面記憶部である。なお、この実施の形態１６における集中リモコン５は、実施の形態１の図１に示す集中リモコン５における同様の構成も備えているが、図３９では省略している。
【０１７７】
図４０は集中リモコン５の処理を説明する図である。図において、７１は設備管理機器３７が得た設備機器３９の設備機器情報であって、集中リモコン５に送信された設備機器情報、７２は予め画面記憶部４６に記憶された内容を含まない画面情報、７３は設備管理機器３７から送信された設備機器情報７１を画面情報７２に書き込み、新たに生成した画面情報である。
【０１７８】
次に動作について説明する。
ここでは、予め接続が想定されない設備機器３９として、二酸化炭素濃度センサを備えているものとする。設備管理機器３７は、図４０に示すように、設備管理機器情報７１として、設備機器３９の種類である「ＣＯ２」と設備機器３９の状態である「９９７ｐｐｍ」を集中リモコン５に送信する。集中リモコン５の図面生成部４５は、画面記憶部４６に記憶されている内容を含まない画面情報７２に、上記「ＣＯ２」及び「９９７ｐｐｍ」を書き込んだ新たな画面情報７３を生成して遠隔監視端末機１５に送信する。
【０１７９】
ブラウザソフト１６を搭載しパソコンを使用した遠隔監視端末機１５は、集中リモコン５から新たに生成された画面情報７３、すなわち設備機器３９の情報である「ＣＯ２」「９９７ｐｐｍ」を受信して、モニタ等の表示手段（図示せず）に表示する。
【０１８０】
以上のように、この実施の形態１６によれば、集中リモコン５が、設備管理機器３７が得た設備機器３９の設備機器情報７１から画面情報７３を生成することにより、遠隔監視端末機１５が、予め接続が想定されない設備機器３９の遠隔監視を行うことができるという効果が得られる。
【図面の簡単な説明】
【０１８１】
【図１】この発明の実施の形態１による空気調和システムの構成を示すブロック図である。
【図２】この発明の実施の形態１による空気調和システムにおける遠隔監視端末機を使用するユーザ毎にモニタ可能な画面メニューを示す図である。
【図３】この発明の実施の形態１による空気調和システムにおける遠隔監視端末機の画面メニューの一覧を示す図である。
【図４】この発明の実施の形態１による空気調和システムにおける遠隔監視端末機の画面に表示される各種のアイコンの例を示す図である。
【図５】この発明の実施の形態１による空気調和システムにおける遠隔監視端末機に表示される運転状態メニューの全グループの一覧表示（縮小）画面を示す図である。
【図６】この発明の実施の形態１による空気調和システムにおける遠隔監視端末機に表示される運転状態メニューのブロック単位の一覧表示（拡大）画面を示す図である。
【図７】この発明の実施の形態１による空気調和システムにおける遠隔監視端末機に表示される運転状態メニューの個別リモコン操作画面を示す図である。
【図８】この発明の実施の形態１による空気調和システムにおける遠隔監視端末機に表示される運転状態メニューの異常発生中のユニット表示画面を示す図である。
【図９】この発明の実施の形態１による空気調和システムにおける遠隔監視端末機に表示される運転状態メニューのフィルタサイン発生中のユニット表示画面を示す図である。
【図１０】この発明の実施の形態１による空気調和システムにおける遠隔監視端末機に表示されるメンテナンスメニューの異常前データ（一覧）画面を示す図である。
【図１１】この発明の実施の形態１による空気調和システムにおける遠隔監視端末機に表示されるメンテナンスメニューの異常前データ（内容）画面を示す図である。
【図１２】この発明の実施の形態１による空気調和システムにおける遠隔監視端末機に表示されるメンテナンスメニューのメール送信履歴画面を示す図である。
【図１３】この発明の実施の形態２による空気調和システムの構成を示すブロック図である。
【図１４】この発明の実施の形態３による空気調和システムの構成を示すブロック図である。
【図１５】この発明の実施の形態４による空気調和システムの構成を示すブロック図である。
【図１６】この発明の実施の形態５による空気調和システムの構成を示すブロック図である。
【図１７】この発明の実施の形態６による空気調和システムの構成を示すブロック図である。
【図１８】この発明の実施の形態６による空気調和システムにおける集中リモコンの内部構成を示すブロック図である。
【図１９】この発明の実施の形態６による空気調和システムにおける集中リモコンの内部構成を示すブロック図である。
【図２０】この発明の実施の形態７による空気調和システムの構成を示すブロック図である。
【図２１】この発明の実施の形態７による空気調和システムにおける集中リモコンの内部構成を示すブロック図である。
【図２２】この発明の実施の形態８による空気調和システムの構成を示すブロック図である。
【図２３】この発明の実施の形態９による空気調和システムの構成を示すブロック図である。
【図２４】この発明の実施の形態１０による空気調和システムの構成を示すブロック図である。
【図２５】この発明の実施の形態１０による空気調和システムにおける情報中継器の内部構成を示すブロック図である。
【図２６】この発明の実施の形態１１による空気調和システムの構成を示すブロック図である。
【図２７】この発明の実施の形態１１による空気調和システムにおける情報中継器の内部構成を示すブロック図である。
【図２８】この発明の実施の形態１２による空気調和システムの構成を示すブロック図である。
【図２９】この発明の実施の形態１３による空気調和システムの構成を示すブロック図である。
【図３０】この発明の実施の形態１３による空気調和システムにおける集中リモコンの内部構成を示すブロック図である。
【図３１】この発明の実施の形態１３による空気調和システムにおける室内機に内蔵される制御機器の室内機制御手段の内部構成を示すブロック図である。
【図３２】この発明の実施の形態１３による空気調和システムにおける集中リモコンの処理の流れの一例を示すフローチャートである。
【図３３】この発明の実施の形態１４による空気調和システムの構成を示すブロック図である。
【図３４】この発明の実施の形態１５による空気調和システムの構成を示すブロック図である。
【図３５】この発明の実施の形態１５による空気調和システムにおける設備管理機器の内部構成を示すブロック図である。
【図３６】この発明の実施の形態１５による空気調和システムの構成を示すブロック図である。
【図３７】この発明の実施の形態１５による空気調和システムにおける設備管理機器の処理の流れの一例を示すフローチャートである。
【図３８】この発明の実施の形態１６による空気調和システムの構成を示すブロック図である。
【図３９】この発明の実施の形態１６による空気調和システムにおける集中リモコンの内部構成を示すブロック図である。
【図４０】この発明の実施の形態１６による空気調和システムにおける集中リモコンの処理を説明する図である。
【図４１】従来の空気調和システムの構成を示すブロック図である。
【図４２】従来の空気調和システムにおける設備コントローラの内部構成を示すブロック図である。
【図４３】従来の空気調和システムの構成を示すブロック図である。
【図４４】従来の空気調和システムにおける室内機に内蔵される制御機器の室内機制御手段の内部構成を示すブロック図である。
【符号の説明】
【０１８２】
１，１ａ，１ｂ，１ｃ  室外機、２，２ａ，２ｂ，２ｃ  室内機、３  冷媒配管、４，１４，２７  伝送媒体、５，５ａ，５ｂ，５ｃ，５Ａ  集中リモコン、６，１３，１８，５２，６４，６５  伝送手段、７  操作決定手段、８  操作設定手段、８ａ  運転切換スイッチ、８ｂ  冷房／暖房切換スイッチ、８ｃ  風量切換スイッチ、９  表示手段、１０，５１，６１  中央処理手段、１１  操作情報処理部、１２ａ，１２ｂ  管理情報処理部、１５  遠隔監視端末機、１６  ブラウザソフト、１７  管理情報処理手段、１９  設備機器制御手順設定部、２１  分岐手段、２２  公衆回線中継器、２３，２３ａ，２３ｂ  公衆回線、２４ａ，２４ｂ  インターネット仲介業者、２５  インターネット、２６  携帯電話端末、２８  公衆回線中継器、２９  情報中継器、３１  制御盤、３２  操作盤、３３，３９  設備機器、３３Ａ  ホテル客室キースイッチ、３４  設備機器制御線、３５  室内機構成部品、３６  室内機制御手段、３７  設備管理機器、３８  制御端末、３９Ａ  共通換気機器、４１  空調機制御部、４２  空調機制御手順記憶部、４３  設備機器制御部、４４  設備機器制御手順記憶部、４５  画面生成部、４６  画面記憶部、５３  室内機構成部品入出力手段、５４  設備機器入出力手段、６２  設備機器制御手順生成手段、６３  設備機器制御手段、７１  設備機器情報、７２  予め記憶された画面情報、７３  新たに生成された画面情報、２０１〜２３１  アイコン、２５１  風マーク、２５２  木マーク、２５３  時計マーク、２５４  進入禁止マーク、２５５  フィルタマーク、２５６  クエスチョンマーク、２５７  空気マーク、２５８  温度計マーク、２５９  コーテーションマーク、２６０  天井マーク、２６１  室内機マーク、２６２  風向マーク、２６３  風速マーク、３０１  グループ名、３０２  「Ｕｐｄａｔｅ」ボタン、３０３  「Ｂａｔｃｈ  Ｏｐｅｒａｔｉｏｎｓ」ボタン、３０４  「Ｅｎｌａｒｇｅ」ボタン、３０５  運転状態のアイコン、３０６  「ＯＫ」ボタン、３０７  「Ｃａｎｃｅｌ」ボタン、３０８  「Ｍａｌｆｕｎｃｔｉｏｎ  Ｌｉｓｔ」ボタン、３０９  「Ａｌｌ  Ｒｅｓｅｔ」ボタン、３１０  「Ｆｉｌｔｅｒ  Ｓｉｇｎ  Ｌｉｓｔ」ボタン、３１１  「Ｒｅｓｅｔ」ボタン、３１２  「Ａｌｌ  Ｒｅｓｅｔ」ボタン、３１３  「Ｍａｉｎｔｅｎａｎｃｅ」ボタン、３１４，３１７  「Ｃｌｅａｒ  Ｌｏｇ」ボタン、３１５  「Ｓｈｏｗ  Ｄｅｔａｉｌ  Ｌｏｇ」ボタン、３１６  「Ｓｅｎｄ  Ｍａｉｌ  Ｌｏｇ」ボタン。
【図１】
2006337021.tif 000003
【図２】
2006337021.tif 000004
【図３】
2006337021.tif 000005
【図４】
2006337021.tif 000006
【図５】
2006337021.tif 000007
【図６】
2006337021.tif 000008
【図７】
2006337021.tif 000009
【図８】
2006337021.tif 000010
【図９】
2006337021.tif 000011
【図１０】
2006337021.tif 000012
【図１１】
2006337021.tif 000013
【図１２】
2006337021.tif 000014
【図１３】
2006337021.tif 000015
【図１４】
2006337021.tif 000016
【図１５】
2006337021.tif 000017
【図１６】
2006337021.tif 000018
【図１７】
2006337021.tif 000019
【図１８】
2006337021.tif 000020
【図１９】
2006337021.tif 000021
【図２０】
2006337021.tif 000022
【図２１】
2006337021.tif 000023
【図２２】
2006337021.tif 000024
【図２３】
2006337021.tif 000025
【図２４】
2006337021.tif 000026
【図２５】
2006337021.tif 000027
【図２６】
2006337021.tif 000028
【図２７】
2006337021.tif 000029
【図２８】
2006337021.tif 000030
【図２９】
2006337021.tif 000031
【図３０】
2006337021.tif 000032
【図３１】
2006337021.tif 000033
【図３２】
2006337021.tif 000034
【図３３】
2006337021.tif 000035
【図３４】
2006337021.tif 000036
【図３５】
2006337021.tif 000037
【図３６】
2006337021.tif 000038
【図３７】
2006337021.tif 000039
【図３８】
2006337021.tif 000040
【図３９】
2006337021.tif 000041
【図４０】
2006337021.tif 000042
【図４１】
2006337021.tif 000043
【図４２】
2006337021.tif 000044
【図４３】
2006337021.tif 000045
【図４４】
2006337021.tif 000046